(57)【要約】【課題】ユーザにコンテンツの概要を十分に把握させることが可能であり、かつ、広告映像を提示するユーザの数を管理することができる技術を提供する。【解決手段】コンテンツ受信装置２００は、受信装置グループ指定情報比較手段２１２から、受信装置グループ指定情報１２０ａと固有のコンテンツ受信装置ＩＤ１０６ａの部分データが一致しないという判定結果を受け取ると、映像合成手段２１４に映像情報と広告情報とを合成しないよう指示を出し、受信装置グループ指定情報比較手段２１２から、受信装置グループ指定情報１２０ａと固有のコンテンツ受信装置ＩＤ１０６ａの部分データが一致するという判定結果を受け取ると、映像合成手段２１４に映像情報と合成すべき広告情報を識別する情報を出力する合成指示手段２１３ａを備える。【選択図】図７
2010098681.tif 000002
【特許請求の範囲】
【請求項１】
放送波を介して、ユーザの所有する複数のコンテンツ受信装置にコンテンツを送信するコンテンツ送信装置であって、
映像情報と音声情報とを含むコンテンツを記憶するコンテンツ記憶手段と、
受信側で、前記映像情報により表示された本線映像の上に重ね合わされ、前記本線映像の一部を隠す隠蔽映像として表示させる隠蔽情報を記憶する隠蔽情報記憶手段と、
前記複数のコンテンツ受信装置のグループを識別する情報であって、受信側で前記隠蔽映像の表示または非表示をさせるグループを予め送信側で指定した情報である、受信装置グループ指定情報を記憶する表示制御情報生成用データ記憶手段と、
前記表示制御情報生成用データ記憶手段から前記受信装置グループ指定情報を取得し、当該受信装置グループ指定情報を含む表示制御情報を生成する表示制御情報生成手段と、
前記表示制御情報生成手段で生成された前記表示制御情報と前記隠蔽情報記憶手段に記憶された前記隠蔽情報とをセクション化したデータと、前記コンテンツとを少なくとも含めて多重化してストリームを生成する多重化手段と、
前記多重化手段で生成された前記ストリームを、前記複数のコンテンツ受信装置に送信する送信手段と、を備え、
前記表示制御情報生成手段は、
前記表示制御情報生成用データ記憶手段に記憶された前記受信装置グループ指定情報を、所定時間毎に前記隠蔽映像の表示または非表示を切り替えるために更新する更新手段を備えることを特徴とするコンテンツ送信装置。
【請求項２】
前記複数のコンテンツ受信装置をそれぞれ識別するためのコンテンツ受信装置ＩＤを前記コンテンツ受信装置毎に記憶するコンテンツ受信装置ＩＤ記憶手段と、
一のコンテンツ受信装置のユーザに提示すべき前記隠蔽情報を特定する第２のメッセージＩＤを含む、前記コンテンツ受信装置毎に設定された契約情報をそれぞれ記憶する契約情報記憶手段と、をさらに備え、
前記表示制御情報生成用データ記憶手段は、
前記隠蔽情報を識別する情報である第１のメッセージＩＤをさらに記憶し、
前記表示制御情報生成手段は、
前記表示制御情報生成用データ記憶手段に記憶された前記第１のメッセージＩＤをさらに含んだ表示制御情報を生成し、
前記多重化手段は、
前記コンテンツ受信装置ＩＤ記憶手段に記憶された前記一のコンテンツ受信装置ＩＤと前記契約情報記憶手段に記憶された前記契約情報とをセクション化したデータと、前記第１のメッセージＩＤをさらに含んだ表示制御情報と前記隠蔽情報とをセクション化したデータと、をさらに多重化したストリームを生成することを特徴とする
ことを特徴とする請求項１に記載のコンテンツ送信装置。
【請求項３】
前記表示制御情報生成用データ記憶手段は、
受信側で、前記隠蔽情報により表示された前記隠蔽映像を、ユーザからの消去要求に基づいて消去または非消去のいずれかをさせるために、予め送信側で指定した情報である前記隠蔽映像の消去可否情報と、前記隠蔽映像の消去可能回数と、をさらに記憶し、
前記表示制御情報生成手段は、
前記表示制御情報生成用データ記憶手段から、前記消去可否情報と前記消去可能回数とをさらに取得し、当該消去可否情報と当該消去可能回数とをさらに含んだ表示制御情報を生成することを特徴とする請求項１または請求項２に記載のコンテンツ送信装置。
【請求項４】
前記契約情報記憶手段は、
前記契約情報として、受信側で、前記隠蔽情報により表示された前記隠蔽映像を、ユーザからの消去要求に基づいて消去させるために、予め送信側で指定した情報である前記隠蔽映像の消去可能情報と前記隠蔽映像の消去可能回数とをさらに記憶し、
前記多重化手段は、
前記契約情報記憶手段から、前記消去可能情報と前記消去可能回数とをさらに取得し、当該消去可能情報と当該消去可能回数とをさらに多重化したストリームを生成することを特徴とする請求項１または請求項２に記載のコンテンツ送信装置。
【請求項５】
複数のコンテンツにそれぞれ対応する複数の項目と、前記複数のコンテンツをそれぞれ識別するための情報であり、前記複数のコンテンツにそれぞれ関連付けられた複数の第１のイベントＩＤと、を含む電子番組ガイド情報を記憶する電子番組ガイド情報記憶手段をさらに備え、
前記隠蔽情報は、前記複数のコンテンツの内容をそれぞれ示す複数の広告情報であり、
前記表示制御情報生成用データ記憶手段は、
前記隠蔽情報が、前記複数のコンテンツのうちのどの前記コンテンツと関連があるかを示す第２のイベントＩＤを前記隠蔽情報の数分さらに記憶し、
前記表示制御情報生成手段は、
前記表示制御情報生成用データ記憶手段から前記第２のイベントＩＤをさらに取得すると共に、当該第２のイベントＩＤをさらに含んだ表示制御情報を生成し、
前記多重化手段は、前記電子番組ガイド情報をセクション化したデータを含んだ前記表示制御情報をさらに多重化したストリームを生成することを特徴とする請求項１から請求項４のいずれか一項に記載のコンテンツ送信装置。
【請求項６】
放送波を介して、コンテンツ送信装置からコンテンツを受信するコンテンツ受信装置であって、
映像情報と音声情報とを含むコンテンツと、前記コンテンツの内容を示す隠蔽情報と前記複数のコンテンツ受信装置のグループを識別する情報であって、受信側で前記隠蔽映像の表示または非表示をさせるグループを、予め送信側で指定した情報である受信装置グループ指定情報を含む前記隠蔽情報の表示制御情報とをセクション化したデータを含んで多重化されたストリームを前記コンテンツ送信装置から受信する受信手段と、
前記受信手段から入力を受け付けた前記ストリームを、前記コンテンツと、前記表示制御情報と、前記隠蔽情報と、に分離する分離手段と、
前記分離手段で分離された前記隠蔽情報を記憶する隠蔽情報記憶手段と、
当該受信装置に固有のコンテンツ受信装置ＩＤを記憶するコンテンツ受信装置ＩＤ記憶手段と、
前記分離手段によって前記ストリームから分離された前記表示制御情報に含まれる前記受信装置グループ指定情報と、前記コンテンツ受信装置ＩＤ記憶手段に記憶された前記固有のコンテンツ受信装置ＩＤの部分データと、を比較し、これらが一致するか否かを判定する受信装置グループ指定情報比較手段と、
前記受信装置グループ指定情報比較手段で、前記受信装置グループ指定情報と前記固有のコンテンツ受信装置ＩＤの部分データとが一致すると判定された場合、前記映像情報に合成すべき前記隠蔽情報を識別する情報を出力し、前記受信装置グループ指定情報比較手段で、前記受信装置グループ指定情報と前記固有のコンテンツ受信装置ＩＤの部分データとが一致しないと判定された場合、前記映像情報と前記隠蔽情報を合成しないという指示を出力する合成指示手段と、
前記合成指示手段から、前記隠蔽情報を識別する情報の入力を受け付けた場合、前記映像情報を本線映像とし、前記隠蔽情報を前記隠蔽映像として、当該本線映像を背景とし、当該隠蔽映像を前景として、当該本線映像の一部に当該隠蔽映像を重ね合わせた映像を合成して当該合成した映像を出力し、前記合成指示手段から、前記映像情報と前記隠蔽情報とを合成しないとの前記指示の入力を受け付けた場合、前記映像情報を前記本線映像として当該本線映像を出力する映像合成手段と、を備えることを特徴とするコンテンツ受信装置。
【請求項７】
前記ストリームには、コンテンツ受信装置ＩＤと、契約情報とをセクション化したデータがさらに多重化されており、
前記コンテンツ受信装置ＩＤ記憶手段に記憶された前記固有のコンテンツ受信装置ＩＤと、前記分離手段によって前記ストリームから分離された前記コンテンツ受信装置ＩＤとを比較し、これらが一致するか否かを判定するコンテンツ受信装置ＩＤ比較手段と、
前記コンテンツ受信装置ＩＤ比較手段で、前記固有のコンテンツ受信装置ＩＤと、前記ストリームに多重化されていた前記コンテンツ受信装置ＩＤとが一致すると判定された場合、前記ストリームに多重化されていた契約情報を契約情報記憶手段に格納する契約情報抽出手段と、をさらに備えることを特徴とする請求項６に記載のコンテンツ受信装置。
【請求項８】
前記ストリームに多重化された前記表示制御情報は、前記隠蔽情報を識別する第１のメッセージＩＤをさらに含み、かつ、前記ストリームに多重化された前記契約情報は、一のコンテンツ受信装置のユーザに提示すべき前記隠蔽情報を特定する情報である第２のメッセージＩＤと、を含み、
前記コンテンツ受信装置ＩＤ比較手段で、前記固有のコンテンツ受信装置ＩＤと、前記分離手段によって前記ストリームから分離された前記コンテンツ受信装置ＩＤと、が一致すると判定された場合、前記表示制御情報に含まれる前記第１のメッセージＩＤと、前記契約情報に含まれる前記第２のメッセージＩＤとを比較して、これらが一致するか否かをさらに判定し、判定結果を前記受信装置グループ指定情報比較手段に出力するメッセージＩＤ比較手段をさらに備え、
前記受信装置グループ指定情報比較手段は、前記メッセージＩＤ比較手段から、前記第１のメッセージＩＤと、前記第２のメッセージＩＤとが一致するという判定結果の入力を受け付けた場合、前記表示制御情報に含まれる前記受信装置グループ指定情報と、前記固有のコンテンツ受信装置ＩＤの部分データとを比較して、これらが一致するか否かを判定し、判定結果を前記合成指示手段に出力することを特徴とする請求項７に記載のコンテンツ受信装置。
【請求項９】
前記隠蔽情報は、複数の前記コンテンツの内容をそれぞれ示す複数の広告情報であって、
前記ストリームには、複数の前記コンテンツにそれぞれ対応する複数の項目と、前記複数のコンテンツをそれぞれ識別するための情報であり、前記複数のコンテンツにそれぞれ関連付けられた複数の第１のイベントＩＤと、を含む電子番組ガイド情報とをセクション化したデータがさらに多重化されており、
前記ストリームに多重化された前記表示制御情報は、複数の前記隠蔽情報が、前記複数のコンテンツのうちのどの前記コンテンツと関連があるかを示す複数の第２のイベントＩＤをさらに含み、
前記セクション化された電子番組ガイド情報を、所定のデータ構造の電子番組ガイド情報として構成する電子番組ガイド情報構成手段と、
入力手段を介して、前記電子番組ガイド情報を映像とした電子番組ガイドに含まれる前記複数の項目のうちの一の項目のユーザによる選択の入力を受け付け、前記選択された項目に対応する前記コンテンツに関連付けられた前記第１のイベントＩＤと、前記複数の第２のイベントＩＤとを比較し、前記複数の第２のイベントＩＤの中に前記第１のイベントＩＤと一致するものがあるか否かを判定し、一致するものがある場合、前記第１のイベントＩＤと一致する前記第２のイベントＩＤに関連付けられた前記隠蔽情報を識別する情報を、前記合成指示手段に出力するイベントＩＤ比較手段をさらに備え、
前記合成指示手段は、
前記イベントＩＤ比較手段から、前記隠蔽情報を識別する情報の入力を受け付けた場合、当該識別された隠蔽情報を隠蔽映像とし、この隠蔽映像を表示中の電子番組ガイドと並べて表示する合成映像を生成するように前記映像合成手段に、指示を出すことを特徴とする請求項６から請求項８のいずれか一項に記載のコンテンツ受信装置。
【請求項１０】
前記ストリームに多重化された前記表示制御情報は、前記隠蔽情報により表示された前記隠蔽映像を、ユーザからの消去要求に基づいて消去または非消去のいずれかをさせるために、予め送信側で指定した情報を示す前記隠蔽映像の消去可否情報と、前記隠蔽映像の消去可能回数とをさらに含み、
前記隠蔽映像の消去回数を計測する消去回数計測手段と、
前記消去回数計測手段で計測された前記消去回数を記憶する消去回数記憶手段と、
入力手段を介して前記隠蔽映像のユーザによる消去要求の入力を受け付けると、前記隠蔽映像の消去可否情報を確認し、前記隠蔽映像が消去可能である場合、前記消去回数記憶手段に記憶された前記消去回数を取得し、当該消去回数と前記消去可能回数とを比較して前記消去回数が前記消去可能回数を超えるか否かを判定する消去回数比較手段と、をさらに備え、
前記合成指示手段は、
前記消去回数比較手段で、前記消去回数が前記消去可能回数を超えないと判定された場合、前記映像情報と前記隠蔽映像とを合成しないように前記映像合成手段に、指示を出すことを特徴とする請求項６から請求項９のいずれか一項に記載のコンテンツ受信装置。
【請求項１１】
前記ストリームに多重化された前記契約情報は、前記隠蔽情報により表示された前記隠蔽映像を、ユーザからの消去要求に基づいて消去させるために、予め送信側で指定した情報を示す前記隠蔽映像の消去可能情報と、前記隠蔽映像の消去可能回数と、をさらに含み、
前記隠蔽情報の消去回数を計測する消去回数計測手段と、
前記消去回数計測手段で計測された前記消去回数を記憶する消去回数記憶手段と、
入力手段を介して前記隠蔽映像のユーザによる消去要求の入力を受け付けると、前記契約情報に前記消去可能情報が含まれているかどうかを確認し、前記消去可能情報が含まれている場合、前記消去回数記憶手段に記憶された前記消去回数を取得し、当該消去回数と、前記消去可能回数とを比較し、前記消去回数が前記消去可能回数を超えるか否かを判定する消去回数比較手段と、をさらに備え、
前記合成指示手段は、
前記消去回数比較手段で、前記消去回数が前記消去可能回数を超えないと判定された場合、前記映像情報と前記隠蔽情報とを合成しないように前記映像合成手段に、指示を出すことを特徴とする請求項６から請求項１０のいずれか一項に記載のコンテンツ受信装置。
【請求項１２】
放送波を介して、ユーザの所有する複数のコンテンツ受信装置に映像情報と音声情報とを含むコンテンツと、前記映像情報により表示された本線映像の上に重ね合わされ、前記本線映像の一部を隠す隠蔽映像として表示させる隠蔽情報と、を送信するために、前記コンテンツを記憶するコンテンツ記憶手段と、前記隠蔽情報を記憶する隠蔽情報記憶手段と、前記複数のコンテンツ受信装置のグループを識別する情報であって、受信側で隠蔽情報により表示される隠蔽映像の表示または非表示をさせるグループを、予め送信側で指定した情報である受信装置グループ指定情報を記憶する表示制御情報生成用データ記憶手段と、ストリームを送信する送信手段と、を備えたコンテンツ送信装置のコンピュータを、
前記受信装置グループ指定情報を含んだ表示制御情報を生成し、前記表示制御情報生成用データ記憶手段に記憶された前記受信装置グループ指定情報を所定時間毎に前記隠蔽情報の表示または非表示を切り替えるために更新する表示制御情報生成手段、
前記コンテンツと、セクション化された前記表示制御情報と前記隠蔽情報と、を多重化し、ストリームを生成する多重化手段として機能させることを特徴とするコンテンツ送信プログラム。
【請求項１３】
放送波を介して、コンテンツ送信装置から送信された映像情報と音声情報とを含むコンテンツと、前記映像情報により表示された本線映像の上に重ね合わされ、前記本線映像の一部を隠す隠蔽映像として表示させる隠蔽情報とコンテンツ受信装置のグループを識別する情報であって、受信側で前記隠蔽映像の表示または非表示をさせるグループを、予め送信側で指定した情報である受信装置グループ指定情報を含む前記隠蔽情報の表示制御情報とをセクション化したデータを受信するために、前記隠蔽情報を記憶する隠蔽情報記憶手段と、固有のコンテンツ受信装置ＩＤを記憶するコンテンツ受信装置ＩＤ記憶手段と、ストリームを受信する受信手段と、を備えたコンテンツ受信装置のコンピュータを、
前記ストリームを、前記隠蔽情報と、前記表示制御情報と、前記コンテンツと、に分離する分離手段、
前記分離手段で分離された前記表示制御情報に含まれる前記受信装置グループ指定情報と、前記コンテンツ受信装置ＩＤ記憶手段に記憶された前記固有のコンテンツ受信装置ＩＤの部分データと、を比較し、これらが一致するか否かを判定する受信装置グループ指定情報比較手段、
前記受信装置グループ指定情報比較手段で、前記受信装置グループ指定情報と前記固有のコンテンツ受信装置ＩＤの部分データとが一致すると判定された場合、前記映像情報に合成すべき前記隠蔽情報を識別する情報を出力し、前記受信装置グループ指定情報比較手段で、前記受信装置グループ指定情報と前記固有のコンテンツ受信装置ＩＤの部分データとが一致しないと判定された場合、前記映像情報と前記隠蔽情報を合成しないという指示を出力する合成指示手段、
前記合成指示手段から、前記隠蔽情報を識別する情報の入力を受け付けた場合、前記映像情報を本線映像とし、前記隠蔽情報を前記隠蔽映像として、当該本線映像を背景とし、当該隠蔽映像を前景として、当該本線映像の一部に当該隠蔽映像を重ね合わせた映像を合成し、当該合成した映像を出力し、前記合成指示手段から、前記映像情報と前記隠蔽情報とを合成しないという指示の入力を受け付けた場合、前記映像情報を前記本線映像とし、当該本線映像を出力する映像合成手段として機能させることを特徴とするコンテンツ受信プログラム。
【発明の詳細な説明】
【技術分野】
【０００１】
本発明は、映像情報と音声情報とを含む放送番組をユーザに視聴させるためのコンテンツ送信装置、コンテンツ送信プログラム、コンテンツ受信装置及びコンテンツ受信プログラムに関する。
【背景技術】
【０００２】
デジタル放送では、放送事業者側（送信側）で放送番組（デジタルコンテンツ、以下、単にコンテンツという）に暗号化処理を施している。例えば、映像情報と、音声情報と、放送データと、は、ＭＰＥＧ−２ＴＳ（Moving Picture Expert Group-2 Transport Stream）形式で多重化されて放送されている。
【０００３】
視聴者が、有料のコンテンツを視聴するためには、コンテンツを購入する必要があるのが一般的である。視聴者は、対価を支払ってはじめてそのコンテンツ自体を知ることができる。つまり、視聴者は、コンテンツの購入前に、コンテンツが実際にはどのような映像や音声を有しているのかを把握することができない。このため、視聴者のコンテンツの購入意欲の低下につながるおそれがある。
【０００４】
このような問題に鑑み、近年、コンテンツの購入を望む視聴者に、コンテンツの概要を把握させることを可能とすることで、コンテンツの購入意欲を高める手法が種々提案されている。図１５は、従来のコンテンツ送信装置及びコンテンツ受信装置を用いて視聴者に提示する映像例を示す図である。図１５（ａ）に示すように、特許文献１に開示された手法によれば、コンテンツの購入前は、視聴者に放送画質を劣化させた映像でコンテンツを視聴させて、コンテンツの概要を把握させることを可能とし、これにより、コンテンツの購入意欲を高める。そして、コンテンツの購入後は、放送画質の良い映像でユーザにコンテンツを視聴させる。また例えば、図１５（ｂ）に示すように、特許文献２に開示された手法によれば、コンテンツの購入前は、視聴者に通常の放送画質の映像の上に契約を奨励するメッセージをいくつかの態様により重ねて表示させた映像でコンテンツを視聴させることで、コンテンツの概要を把握させることを可能とし、これにより、コンテンツの購入意欲を高める。そして、コンテンツの購入後は、視聴者に当該メッセージを除去した映像でコンテンツを視聴させる。
【特許文献１】特開２００８−５３２３号公報
【特許文献２】特開２００４−４８７７４号公報
【発明の開示】
【発明が解決しようとする課題】
【０００５】
しかしながら、特許文献１に開示された手法では、特に、コンテンツがドラマや映画の場合、劣化させた映像を放送することを著作権者が許可しないことがあり、様々なコンテンツで利用することができないという制限があった。また、劣化した映像を視聴させることで、かえって、視聴者の購入意欲を低下させるおそれがあった。
また、特許文献２に開示された手法では、視聴者がコンテンツを充分に把握することができない場合があった。加えて、契約を奨励するメッセージを表示させることによって、視聴者に、契約の推奨を強く訴え過ぎるため、放送事業者の印象を悪くしてしまい、その結果、視聴者の購入意欲を低下させてしまう場合があった。
また、放送期間が限定されていることなどにより、多くの視聴者の注目が一時期に集中するコンテンツについては、同時期に契約を求める視聴者からの問い合わせが殺到することがあり、放送事業者側で対応しきれない場合があった。このため、放送事業者側で、制限された映像でコンテンツを視聴させる視聴者の数を管理することができる機構の確立が求められていた。
【０００６】
本発明は、前記した課題を解決するためになされたものであり、視聴者にコンテンツの概要を十分に把握させることが可能であり、かつ、放送事業者側で、制限された映像でコンテンツを視聴させる視聴者の数を管理することができるコンテンツ送信装置、コンテンツ送信プログラム、コンテンツ受信装置及びコンテンツ受信プログラムを提供することを目的とする。
【課題を解決するための手段】
【０００７】
前記した課題を解決する請求項１に記載のコンテンツ送信装置は、放送波を介して、ユーザの所有する複数のコンテンツ受信装置にコンテンツを送信するコンテンツ送信装置であって、コンテンツ記憶手段と、隠蔽情報記憶手段と、表示制御情報生成用データ記憶手段と、表示制御情報生成手段と、表示制御情報生成手段と、表示制御情報生成手段と、を備え、前記表示制御情報生成手段は、更新手段を備える構成とした。
【０００８】
かかる構成によれば、コンテンツ送信装置は、映像情報と音声情報とを含むコンテンツをコンテンツ記憶手段に記憶する。
また、コンテンツ送信装置は、受信側で前記映像情報により表示された本線映像の一部に重ね合わされ、前記本線映像の一部を隠す隠蔽映像として表示させる隠蔽情報を隠蔽情報記憶手段に記憶する。
また、コンテンツ送信装置は、前記複数のコンテンツ受信装置のグループを識別する情報であって、受信側で前記隠蔽映像の表示または非表示をさせるグループを、予め送信側で指定した情報である受信装置グループ指定情報を表示制御情報生成用データ記憶手段に記憶する。
また、コンテンツ送信装置は、表示制御情報生成手段によって、前記表示制御情報生成用データ記憶手段から前記受信装置グループ指定情報を取得し、当該受信装置グループ指定情報を含む表示制御情報を生成する。
また、コンテンツ送信装置は、多重化手段によって、前記表示制御情報生成手段で生成された前記表示制御情報と前記隠蔽情報記憶手段に記憶された前記隠蔽情報とをセクション化したデータと、前記コンテンツとを少なくとも含めて多重化してストリームを生成する。
また、コンテンツ送信装置は、送信手段によって、前記多重化手段で生成された前記ストリームを、前記複数のコンテンツ受信装置に送信する。
さらに、コンテンツ送信装置は、前記表示制御情報生成手段の更新手段によって、前記表示制御情報生成用データ記憶手段に記憶された前記受信装置グループ指定情報を、所定時間毎に前記隠蔽映像の表示または非表示を切り替えるために更新する。
【０００９】
これによれば、コンテンツ送信装置から複数のコンテンツ受信装置に送信されるストリームに、受信装置グループ指定情報を含むため、送信側で、複数のコンテンツ受信装置をグループ分けし、このグループに基づいて、受信側で、隠蔽映像を表示させ、または、隠蔽映像を表示させないこととすることができる。さらに、更新手段によって、受信装置グループ指定情報を所定時間毎に更新することができるため、隠蔽映像を表示させるコンテンツ受信装置のグループを、所定時間毎に変更することができる。
このため、送信側で、隠蔽映像を表示した映像でコンテンツを視聴させる視聴者の数を管理することができる。例えば、放送エリアの中で、複数のコンテンツ受信装置を地域などによりグループ分けし、受信装置グループ指定情報によって、隠蔽映像を表示させるグループを指定することにより、ある時間帯に同じコンテンツを受信した複数のコンテンツ受信装置を、隠蔽映像を表示させるコンテンツ受信装置と、隠蔽映像を表示させないコンテンツ受信装置とに分けることができる。したがって、放送事業者側に、コンテンツの購入を求めるユーザからの問い合わせが殺到する事態を防止することができる。
ここで、隠蔽情報とは、例えば、契約を促す情報や、放送局のサービス内容を示す情報、または、コンテンツの内容を示す情報である。
【００１０】
また、受信側で隠蔽映像として表示させる隠蔽情報を、コンテンツの内容を示す広告情報とした場合、ユーザにコンテンツの概要を充分に把握させることが可能となり、コンテンツの購入意欲を効果的に高めることができる。
【００１１】
また、請求項２に記載のコンテンツ送信装置は、請求項１に記載のコンテンツ送信装置において、コンテンツ受信装置ＩＤ記憶手段と、契約情報記憶手段と、をさらに備える構成とした。
かかる構成によれば、コンテンツ送信装置は、前記複数のコンテンツ受信装置をそれぞれ識別するためのコンテンツ受信装置ＩＤを、前記コンテンツ受信装置毎に、コンテンツ受信装置ＩＤ記憶手段に記憶する。
また、コンテンツ送信装置は、一のコンテンツ受信装置のユーザに提示すべき隠蔽情報を特定する第２のメッセージＩＤを含む、一のコンテンツ受信装置毎に設定された契約情報を、契約情報記憶手段にそれぞれ記憶する。
【００１２】
また、請求項２に記載のコンテンツ送信装置は、請求項１に記載のコンテンツ送信装置において、前記表示制御情報生成手段が、前記表示制御情報生成用データ記憶手段に記憶された前記第１のメッセージＩＤをさらに含んだ表示制御情報を生成する。
また、請求項２に記載のコンテンツ送信装置は、請求項１に記載のコンテンツ送信装置において、前記多重化手段が、前記コンテンツ受信装置ＩＤ記憶手段に記憶された前記一のコンテンツ受信装置ＩＤと前記契約情報記憶手段に記憶された前記契約情報とをセクション化したデータと、前記第１のメッセージＩＤをさらに含んだ表示制御情報と前記隠蔽情報とをセクション化したデータと、をさらに多重化したストリームを生成する。
【００１３】
これによれば、コンテンツ受信装置が、第１のメッセージＩＤをさらにコンテンツ受信装置に通知することにより、受信側で、隠蔽情報を識別することが可能となる。
また、送信側で、複数のコンテンツ受信装置の中から、受信先となる一のコンテンツ受信装置を指定することができる。また、当該一のコンテンツ受信装置に設定された契約情報をあわせて通知することができるので、受信側で、契約情報に基づいて、隠蔽情報により表示される隠蔽映像の表示または非表示を制御することが可能となる。このように、コンテンツ送信装置から、一のコンテンツ受信装置ＩＤと契約情報とをさらに通知することで、受信側で、コンテンツ受信装置毎に個別に、隠蔽情報の表示または非表示を制御することが可能となる。例えば、受信側で、第１のメッセージＩＤと第２のメッセージＩＤとを比較し、これらが一致した場合、ストリームに多重化された隠蔽情報を、一のコンテンツ受信装置のユーザに提示すべき隠蔽情報であると判定し、当該隠蔽情報を表示させるようにすることもできる。
【００１４】
また、請求項３に記載のコンテンツ送信装置は、請求項１または請求項２に記載のコンテンツ送信装置において、前記表示制御情報生成用データ記憶手段が、受信側で、前記隠蔽情報により表示された前記隠蔽映像を、ユーザからの消去要求に基づいて消去または非消去のいずれかをさせるために、予め送信側で指定した情報である前記隠蔽映像の消去可否情報と、前記隠蔽映像の消去可能回数と、をさらに記憶し、前記表示制御情報生成手段が、前記表示制御情報生成用データ記憶手段から、前記消去可否情報と前記消去可能回数とをさらに取得し、当該消去可否情報と当該消去可能回数とをさらに含んだ表示制御情報を生成する構成とした。
かかる構成によれば、コンテンツ送信装置は、コンテンツ受信装置に、消去可否情報と消去可能情報とをさらに含んだ表示制御情報を通知する。
これによれば、送信側で設定した隠蔽映像の消去可否情報と消去可能情報に基づいて、受信側で隠蔽映像の表示または非表示を制御することが可能となる。
【００１５】
また、請求項４に記載のコンテンツ送信装置は、請求項１または請求項２に記載のコンテンツ送信装置において、前記契約情報記憶手段が、前記契約情報として、受信側で、前記隠蔽情報により表示された前記隠蔽映像を、ユーザからの消去要求に基づいて消去させるために、予め送信側で指定した情報である前記隠蔽映像の消去可能情報と前記隠蔽映像の消去可能回数とをさらに記憶し、前記多重化手段が、前記契約情報記憶手段から、前記消去可能情報と前記消去可能回数とをさらに取得し、当該消去可能情報と当該消去可能回数とをさらに多重化したストリームを生成する構成とした。
【００１６】
かかる構成によれば、コンテンツ送信装置は、コンテンツ受信装置に、隠蔽映像の消去可能情報と、消去可能回数とをさらに含んだ契約情報を通知する。
これによれば、送信側で設定した契約情報に含まれる隠蔽情報の消去可能情報と消去可能回数とに基づいて、受信側で、隠蔽映像の表示または非表示を制御することが可能となる。
【００１７】
また、請求項５に記載のコンテンツ送信装置は、請求項１から請求項４のいずれか一項に記載のコンテンツ送信装置において、複数のコンテンツにそれぞれ対応する複数の項目と、前記複数のコンテンツをそれぞれ識別するための情報であり、前記複数のコンテンツにそれぞれ関連付けられた複数の第１のイベントＩＤと、を含む電子番組ガイド情報を記憶する電子番組ガイド情報記憶手段をさらに備え、前記隠蔽情報は、前記複数のコンテンツの内容をそれぞれ示す複数の広告情報であり、前記表示制御情報生成用データ記憶手段は、前記隠蔽情報が、前記複数のコンテンツのうちのどの前記コンテンツと関連があるかを示す第２のイベントＩＤを前記隠蔽情報の数分さらに記憶し、前記表示制御情報生成手段は、前記表示制御情報生成用データ記憶手段から前記第２のイベントＩＤをさらに取得すると共に、当該第２のイベントＩＤをさらに含んだ表示制御情報を生成し、前記多重化手段は、前記電子番組ガイド情報をセクション化したデータを含んだ前記表示制御情報をさらに多重化したストリームを生成する構成とした。
【００１８】
かかる構成によれば、コンテンツ送信装置は、コンテンツ受信装置に、複数のコンテンツにそれぞれ対応する複数の項目と、複数のコンテンツをそれぞれ識別するための情報であり、複数のコンテンツにそれぞれ関連付けられた複数の第１のイベントＩＤと、を含む電子番組ガイド情報と、隠蔽情報が複数のコンテンツのどのコンテンツと関連があるかを示す第２のイベントＩＤを隠蔽情報の数分さらに含んだ表示制御情報と、をさらに通知する。
これによれば、受信側で、第１のイベントＩＤと第２のイベントＩＤとを利用して、電子番組ガイドと並べて表示させる隠蔽映像を特定することができる。
【００１９】
また、請求項６に記載のコンテンツ受信装置は、放送波を介して、コンテンツ送信装置からコンテンツを受信するコンテンツ受信装置であって、受信手段と、分離手段と、隠蔽情報記憶手段と、コンテンツ受信装置ＩＤ記憶手段と、受信装置グループ指定情報比較手段と、合成指示手段と、映像合成手段と、を備える構成とした。
【００２０】
かかる構成によれば、コンテンツ受信装置は、受信手段によって、前記コンテンツと、セクション化された前記コンテンツの内容を示す隠蔽情報と、前記複数のコンテンツ受信装置のグループを識別する情報であって、受信側で前記隠蔽映像の表示または非表示をさせるグループを、予め送信側で指定した情報である受信装置グループ指定情報を含む前記隠蔽情報の表示制御情報と、を含んで多重化したストリームを前記コンテンツ送信装置から受信する。
また、コンテンツ受信装置は、分離手段によって、前記受信手段から入力を受け付けた前記ストリームを、前記コンテンツと、前記隠蔽情報と、前記表示制御情報と、に分離する。なお、分離された隠蔽情報は、隠蔽情報記憶手段に記憶される。
【００２１】
また、コンテンツ受信装置は、受信装置グループ指定情報比較手段によって、前記表示制御情報に含まれる前記受信装置グループ指定情報と、コンテンツ受信装置ＩＤ記憶手段に記憶された当該受信装置に固有のコンテンツ受信装置ＩＤの部分データと、を比較し、これらが一致するか否かを判定する。
また、コンテンツ受信装置は、合成指示手段によって、前記受信装置グループ指定情報比較手段で、前記受信装置グループ指定情報と前記固有のコンテンツ受信装置ＩＤの部分データとが一致すると判定された場合、前記映像情報に合成すべき前記隠蔽情報を識別する情報を出力し、前記受信装置グループ指定情報比較手段で、前記受信装置グループ指定情報と前記固有のコンテンツ受信装置ＩＤの部分データとが一致しないと判定された場合、前記映像情報と前記隠蔽情報を合成しないという指示を出力する。
【００２２】
また、コンテンツ受信装置は、映像合成手段によって、前記合成指示手段から、前記隠蔽情報を識別する情報の入力を受け付けた場合、前記映像情報を本線映像とし、前記隠蔽情報を前記隠蔽映像として、当該本線映像を背景とし、当該隠蔽映像を前景として、当該本線映像の一部に当該隠蔽映像を重ね合わせた映像を合成して当該合成した映像を出力し、前記合成指示手段から、前記映像情報と前記隠蔽情報とを合成しないという指示の入力を受け付けた場合、前記映像情報を前記本線映像として当該本線映像を出力する。
【００２３】
これによれば、コンテンツ受信装置は、受信装置グループ指定情報比較手段で、受信装置グループ指定情報と固有のコンテンツ受信装置ＩＤの部分データとが一致すると判定された場合、合成指示手段により、当該コンテンツ受信装置が、送信側で指定された隠蔽映像を表示させるコンテンツ受信装置のグループに属していることが分かるので、映像合成手段に、隠蔽情報を識別する情報を出力する。一方、受信装置グループ指定情報比較手段で、受信装置グループ指定情報と固有のコンテンツ受信装置ＩＤの部分データとが一致しないと判定された場合、合成指示手段により、当該コンテンツ受信装置が、送信側で指定された隠蔽映像を表示させるコンテンツ受信装置のグループに属していないことが分かるので、映像合成手段に、生成すべき映像についての指示、すなわち、映像情報と隠蔽情報とを合成しないよう指示を出す。
このようにして、コンテンツ受信装置は、送信側で生成された表示制御情報に含まれる受信装置グループ指定情報と、自装置に固有のコンテンツ受信装置ＩＤの部分データとを照合した結果に基づいて、隠蔽映像の表示または非表示を制御することができる。
【００２４】
また、請求項７に記載のコンテンツ受信装置は、請求項６に記載のコンテンツ受信装置において、前記ストリームには、コンテンツ受信装置ＩＤと、契約情報とをセクション化したデータがさらに多重化されており、コンテンツ受信装置ＩＤ比較手段と、契約情報抽出手段と、をさらに備える構成とした。
かかる構成によれば、コンテンツ受信装置は、コンテンツ受信装置ＩＤ比較手段によって、前記コンテンツ受信装置ＩＤ記憶手段に記憶された前記固有のコンテンツ受信装置ＩＤと、前記分離手段によって前記ストリームから分離された前記コンテンツ受信装置ＩＤとを比較し、これらが一致するか否かを判定する。
また、コンテンツ受信装置は、契約情報抽出手段によって、前記コンテンツ受信装置ＩＤ比較手段で、前記固有のコンテンツ受信装置ＩＤと、前記ストリームに多重化されていた前記コンテンツ受信装置ＩＤとが一致すると判定された場合、前記ストリームに多重化されていた前記契約情報を契約情報記憶手段に格納する。
【００２５】
これによれば、コンテンツ受信装置は、コンテンツ受信装置ＩＤ比較手段によって、コンテンツ送信装置から送信されたストリームに多重化されていたコンテンツ受信装置ＩＤと、自装置に固有のコンテンツ受信装置ＩＤとを比較し、コンテンツ受信装置ＩＤと、自装置に固有のコンテンツ受信装置ＩＤとが一致した場合、ストリームに含まれる契約情報が、自装置宛に送信されたものであると特定することができるので、この契約情報を契約情報記憶手段に格納することにより、受信側で、契約情報を用いて処理を行うことが可能となる。
【００２６】
また、請求項８に記載のコンテンツ受信装置は、請求項７に記載のコンテンツ受信装置において、前記ストリームに多重化された前記表示制御情報は、前記隠蔽情報を識別する第１のメッセージＩＤをさらに含み、かつ、前記ストリームに多重化された前記契約情報は、一のコンテンツ受信装置のユーザに提示すべき前記隠蔽情報を特定する情報である第２のメッセージＩＤと、を含み、メッセージＩＤ比較手段をさらに備える構成とした。
かかる構成によれば、コンテンツ受信装置は、メッセージＩＤ比較手段によって、記コンテンツ受信装置ＩＤ比較手段で、前記固有のコンテンツ受信装置ＩＤと、前記分離手段によって前記ストリームから分離された前記コンテンツ受信装置ＩＤと、が一致すると判定された場合、前記表示制御情報に含まれる前記第１のメッセージＩＤと、前記契約情報に含まれる前記第２のメッセージＩＤとを比較して、これらが一致するか否かをさらに判定し、判定結果を前記受信装置グループ指定情報比較手段に出力する。
【００２７】
また、コンテンツ受信装置は、前記受信装置グループ指定情報比較手段により、前記メッセージＩＤ比較手段から、前記第１のメッセージＩＤと、前記第２のメッセージＩＤとが一致するという判定結果の入力を受け付けた場合、前記表示制御情報に含まれる前記受信装置グループ指定情報と、前記固有のコンテンツ受信装置ＩＤの部分データとを比較して、これらが一致するか否かを判定し、判定結果を前記合成指示手段に出力する。
【００２８】
これによれば、コンテンツ受信装置は、メッセージＩＤ比較手段によって、受信側で、表示制御情報に含まれ、複数のコンテンツ受信装置に共通の情報である第１のメッセージＩＤと、契約情報に含まれ、一のコンテンツ受信装置毎に個別の情報である第２のメッセージＩＤとを比較することにより、第１のメッセージに付与された隠蔽情報を隠蔽映像として、自装置のユーザに提示するべきか否かを判定することができる。
そして、メッセージＩＤ比較手段によって、自装置のユーザに隠蔽映像を提示するべきと判定されたコンテンツ受信装置について、さらに、受信装置グループ指定情報比較手段によって、受信装置グループ指定情報と固有のコンテンツ受信装置ＩＤとが一致するか否かを判定し、合成指示手段によって、受信装置グループ指定情報と固有のコンテンツ受信装置ＩＤとが一致した場合のみ、映像合成手段に、映像情報と隠蔽情報とを合成させることにより、隠蔽映像を表示させるコンテンツ受信装置をさらに限定することができる。
【００２９】
また、請求項９に記載のコンテンツ受信装置は、請求項６から請求項８のいずれか一項に記載のコンテンツ受信装置において、前記隠蔽情報は、複数の前記コンテンツの内容をそれぞれ示す複数の広告情報であって、前記ストリームには、複数の前記コンテンツにそれぞれ対応する複数の項目と、前記複数のコンテンツをそれぞれ識別するための情報であり、前記複数のコンテンツにそれぞれ関連付けられた複数の第１のイベントＩＤと、を含む電子番組ガイド情報とをセクション化したデータがさらに多重化されており、前記ストリームに多重化された前記表示制御情報は、複数の前記隠蔽情報が、前記複数のコンテンツのうちのどの前記コンテンツと関連があるかを示す複数の第２のイベントＩＤをさらに含み、前記セクション化された電子番組ガイド情報を、所定のデータ構造の電子番組ガイド情報として構成する電子番組ガイド情報構成手段と、入力手段を介して、前記電子番組ガイド情報を映像とした電子番組ガイドに含まれる前記複数の項目のうちの一の項目のユーザによる選択の入力を受け付け、前記選択された項目に対応する前記コンテンツに関連付けられた前記第１のイベントＩＤと、前記複数の第２のイベントＩＤとを比較し、前記複数の第２のイベントＩＤの中に前記第１のイベントＩＤと一致するものがあるか否かを判定し、一致するものがある場合、前記第１のイベントＩＤと一致する前記第２のイベントＩＤに関連付けられた前記隠蔽情報を識別する情報を、前記合成指示手段に出力するイベントＩＤ比較手段をさらに備え、前記合成指示手段は、前記イベントＩＤ比較手段から、前記隠蔽情報を識別する情報の入力を受け付けた場合、当該識別された隠蔽情報を隠蔽映像とし、この隠蔽映像を表示中の電子番組ガイドと並べて表示する合成映像を生成するように前記映像合成手段に、指示を出す構成とした。
【００３０】
請求項９のコンテンツ受信装置によれば、ユーザに電子番組ガイドが提示されている場合に、ユーザが電子番組ガイドに表示された項目の中から興味のあるコンテンツに対応する項目を選択すると、電子番組ガイドに並べて、ユーザが選択した項目に対応するコンテンツの内容を示す隠蔽映像を表示させることができるため、ユーザにコンテンツの概要をスムーズに把握させることが可能となる。なお、「項目」とは、入力手段が例えばリモコンである場合に、リモコンの上下左右ボタンで選択される領域に表示されユーザが選択可能な、放送番組名などである。
【００３１】
また、請求項１０に記載のコンテンツ受信装置は、請求項６から請求項９のいずれか一項に記載のコンテンツ受信装置において、前記ストリームに多重化された前記表示制御情報は、前記隠蔽情報により表示された前記隠蔽映像を、ユーザからの消去要求に基づいて消去または非消去のいずれかをさせるために、予め送信側で指定した情報を示す前記隠蔽映像の消去可否情報と、前記隠蔽映像の消去可能回数とをさらに含み、前記隠蔽映像の消去回数を計測する消去回数計測手段と、前記消去回数計測手段で計測された前記消去回数を記憶する消去回数記憶手段と、入力手段を介して前記隠蔽映像のユーザによる消去要求の入力を受け付けると、前記隠蔽映像の消去可否情報を確認し、前記隠蔽映像が消去可能である場合、前記消去回数記憶手段に記憶された前記消去回数を取得し、当該消去回数と前記消去可能回数とを比較して前記消去回数が前記消去可能回数を超えるか否かを判定する消去回数比較手段と、をさらに備え、前記合成指示手段は、前記消去回数比較手段で、前記消去回数が前記消去可能回数を超えないと判定された場合、前記映像情報と前記隠蔽映像とを合成しないように、前記映像合成手段に指示を出す構成とした。
【００３２】
請求項１０に記載のコンテンツ受信装置によれば、入力手段を介して、ユーザからの隠蔽映像の消去要求の入力を受け付けた場合、送信側で表示制御情報に含められた隠蔽映像の消去可否情報と消去可能回数に基づいて、隠蔽映像の消去または非消去を制御することが可能となる。このように、所定の条件を満たすことにより、受信側で、隠蔽映像を消去することが可能となるため、自装置が、送信側で指定された受信装置グループ指定情報により、隠蔽映像を表示させるコンテンツ受信装置のグループに属する場合にも、隠蔽映像を消去し、自装置のユーザに、本線映像そのものでコンテンツを視聴させることができる。これにより、ユーザにコンテンツをより充分に把握させることが可能となり、ユーザのコンテンツの購入意欲を効果的に高めることができる。また、送信側への、契約を求めるユーザによる問い合わせの集中を緩和することができる。
【００３３】
また、請求項１１に記載のコンテンツ送信装置は、請求項６から請求項９のいずれか一項に記載のコンテンツ受信装置において、前記契約情報は、前記ストリームに多重化された前記契約情報は、前記隠蔽情報により表示された前記隠蔽映像を、ユーザからの消去要求に基づいて消去させるために、予め送信側で指定した情報を示す前記隠蔽映像の消去可能情報と、前記隠蔽映像の消去可能回数と、をさらに含み、前記隠蔽情報の消去回数を計測する消去回数計測手段と、前記消去回数計測手段で計測された前記消去回数を記憶する消去回数記憶手段と、入力手段を介して前記隠蔽映像のユーザによる消去要求の入力を受け付けると、前記契約情報に前記消去可能情報が含まれているかどうかを確認し、前記消去可能情報が含まれている場合、前記消去回数記憶手段に記憶された前記消去回数を取得し、当該消去回数と、前記消去可能回数とを比較し、前記消去回数が前記消去可能回数を超えるか否かを判定する消去回数比較手段と、をさらに備え、前記表示制御手段は、前記消去回数比較手段で、前記消去回数が前記消去可能回数を超えないと判定された場合、前記映像情報と前記隠蔽情報とを合成しないように、前記映像合成手段によう指示を出す構成とした。
【００３４】
請求項１１に記載のコンテンツ受信装置によれば、入力手段を介して、ユーザからの隠蔽映像の消去要求の入力を受け付けた場合、送信側で契約情報に隠蔽映像の消去可能情報が含められている場合、消去可能情報に基づいて、隠蔽映像を消去することが可能となる。このように、所定の条件を満たすことにより、受信側で、隠蔽映像を消去することが可能となるため、自装置が、送信側で指定された受信装置グループ指定情報により、隠蔽映像を表示させるコンテンツ受信装置のグループに属する場合にも、隠蔽映像を消去し、自装置のユーザに、本線映像そのものでコンテンツを視聴させることが可能となる。これにより、ユーザにコンテンツをより充分に把握させることが可能となり、ユーザのコンテンツの購入意欲を効果的に高めることができる。
【００３５】
また、請求項１２に記載のコンテンツ送信プログラムは、放送波を介して、ユーザの所有する複数のコンテンツ受信装置に映像情報と音声情報とを含むコンテンツと、前記映像情報により表示された本線映像の上に重ね合わされ、前記本線映像の一部を隠す隠蔽映像として表示させる隠蔽情報と、を送信するために、前記コンテンツを記憶するコンテンツ記憶手段と、前記隠蔽情報を記憶する隠蔽情報記憶手段と、前記隠蔽情報を記憶する隠蔽情報記憶手段と、前記複数のコンテンツ受信装置のグループを識別する情報であって、受信側で隠蔽情報により表示される隠蔽映像の表示または非表示をさせるグループを、予め送信側で指定した情報である受信装置グループ指定情報を記憶する表示制御情報生成用データ記憶手段と、ストリームを送信する送信手段と、を備えたコンテンツ送信装置のコンピュータを、前記受信装置グループ指定情報を含んだ表示制御情報を生成し、前記表示制御情報生成用データ記憶手段に記憶された前記受信装置グループ指定情報を所定時間毎に更新する表示制御情報生成手段、前記コンテンツと、セクション化された前記表示制御情報と前記隠蔽情報と、を多重化し、ストリームを生成する多重化手段として機能させる構成とした。
【００３６】
また、請求項１３に記載のコンテンツ受信プログラムは、放送波を介して、コンテンツ送信装置から送信された映像情報と音声情報とを含むコンテンツと、前記映像情報により表示された本線映像の上に重ね合わされ、前記本線映像の一部を隠す隠蔽映像として表示させる隠蔽情報とコンテンツ受信装置のグループを識別する情報であって、受信側で前記隠蔽映像の表示または非表示をさせるグループを、予め送信側で指定した情報である受信装置グループ指定情報を含む前記隠蔽情報の表示制御情報とをセクション化したデータを受信するために、前記隠蔽情報を記憶する隠蔽情報記憶手段と、固有のコンテンツ受信装置ＩＤを記憶するコンテンツ受信装置ＩＤ記憶手段と、ストリームを受信する受信手段と、を備えたコンテンツ受信装置のコンピュータを、前記ストリームを、前記隠蔽情報と、前記表示制御情報と、前記コンテンツと、に分離する分離手段、前記分離手段で分離された前記表示制御情報に含まれる前記受信装置グループ指定情報と、前記コンテンツ受信装置ＩＤ記憶手段に記憶された前記固有のコンテンツ受信装置ＩＤの部分データと、を比較し、これらが一致するか否かを判定する受信装置グループ指定情報比較手段、前記受信装置グループ指定情報比較手段で、前記受信装置グループ指定情報と前記固有のコンテンツ受信装置ＩＤの部分データとが一致すると判定された場合、前記映像情報に合成すべき前記隠蔽情報を識別する情報を出力し、前記受信装置グループ指定情報比較手段で、前記受信装置グループ指定情報と前記固有のコンテンツ受信装置ＩＤの部分データとが一致しないと判定された場合、前記映像情報と前記隠蔽情報を合成しないという指示を出力する合成指示手段、前記合成指示手段から、前記隠蔽情報を識別する情報の入力を受け付けた場合、前記映像情報を本線映像とし、前記隠蔽情報を前記隠蔽映像として、当該本線映像を背景とし、当該隠蔽映像を前景として、当該本線映像の一部に当該隠蔽映像を重ね合わせた映像を合成し、当該合成した映像を出力し、前記表示制御手段から、前記映像情報と前記隠蔽情報とを合成しないとの指示の入力を受け付けた場合、前記映像情報を前記本線映像とし、当該本線映像を出力する映像合成手段として機能させる構成とした。
【発明の効果】
【００３７】
本発明に係るコンテンツ送信装置及びコンテンツ送信プログラム、コンテンツ受信装置及びコンテンツ受信プログラムによれば、以下の優れた効果を奏する。
請求項１および請求項１２に係る発明によれば、送信側で、受信装置グループ指定情報により、複数のコンテンツ受信装置をグループ分けし、このグループに基づいて、受信側で、隠蔽映像を表示させまたは表示させないことができる。さらに、受信装置グループ指定情報を所定時間毎に更新することができるため、隠蔽映像を表示させるコンテンツ受信装置のグループを、所定時間毎に変更することができる。
このため、送信側で、隠蔽映像を表示した映像でコンテンツを視聴させる視聴者の数を管理することができ、放送事業者への、契約を求めるユーザによる問い合わせの集中を緩和することができる。このため、ユーザが快適にコンテンツを購入することが可能となる。
【００３８】
また、このような運用をすれば、例えば、未契約者に対しては、本線映像の一部に隠蔽映像を重ね合わせて、本線映像の一部を隠した映像でコンテンツを視聴させ、契約者に対しては、本線映像でコンテンツを視聴させることが可能となる。これにより、コンテンツの購入意欲を高めることができる。また、受信側で隠蔽映像として表示させる隠蔽情報を、コンテンツの内容を示す広告情報とした場合、ユーザにコンテンツの概要を充分に把握させることが可能となり、コンテンツの購入意欲を効果的に高めることができる。
【００３９】
また、請求項２から請求項５に係る発明によれば、送信側から送信したストリームに含まれる情報に基づいて、受信側で隠蔽映像の表示または非表示を制御することが可能となる。
【００４０】
請求項６および請求項１３に係る発明によれば、自装置が、送信側で受信装置グループ指定情報により指定されたグループに属する場合、映像情報を本線映像とし、隠蔽情報を隠蔽映像として、本線映像を背景とし、隠蔽映像を前景として本線映像の一部に隠蔽映像を重ね合わせた映像を合成して出力することにより、ユーザに、隠蔽映像で本線映像の一部を隠した映像でコンテンツを視聴させることができ、一方、自装置が、送信側で受信装置グループ指定情報により指定されたグループに属する場合、映像情報を本線映像として出力することにより、ユーザに本線映像でコンテンツを視聴させることができる。
これによれば、コンテンツの購入前に、ユーザに、本線映像でコンテンツを視聴させることができるため、ユーザにコンテンツを充分に把握させることができる。また、受信装置グループ指定情報により指定されたグループに属するコンテンツ受信装置のみ、隠蔽映像を表示させることで、放送事業者への、契約を求めるユーザによる問い合わせの集中を緩和することができる。
また、このような運用をすれば、例えば、未契約者に対しては、本線映像の一部に隠蔽映像を重ね合わせて、本線映像の一部を隠した映像でコンテンツを視聴させ、契約者に対しては、本線映像でコンテンツを視聴させることが可能となる。また、隠蔽映像をコンテンツの内容を示す広告情報とした場合、ユーザにコンテンツの概要を充分に把握させることができると共に、ユーザに対し契約の推奨を強く訴え過ぎることがない。このため、ユーザのコンテンツの購入意欲を効果的に高めることができる。
【００４１】
請求項７に係る発明によれば、受信側で、契約情報を用いて処理を行うことが可能となる。
請求項８に係る発明によれば、隠蔽映像を表示させるコンテンツ受信装置をさらに限定することができるので、放送事業者への、契約を求めるユーザによる問い合わせの集中をより緩和することができる。
請求項９に係る発明によれば、ユーザに電子番組ガイドが提示されている場合に、ユーザが電子番組ガイドに表示された項目の中から興味のあるコンテンツに対応する項目を選択すると、電子番組ガイドに並べて、ユーザが選択した項目に対応するコンテンツの内容を示す隠蔽映像を表示させることができるため、ユーザにコンテンツの概要をスムーズに把握させることが可能となる。これにより、ユーザのコンテンツの購入意欲を効果的に高めることができる。
【００４２】
請求項１０または請求項１１に係る発明によれば、所定の条件を満たすことにより、受信側で、隠蔽映像を消去することが可能となるため、自装置が、送信側で指定された受信装置グループ指定情報により、隠蔽映像を表示させるコンテンツ受信装置のグループに属する場合にも、隠蔽映像を消去し、自装置のユーザに、本線映像そのものでコンテンツを視聴させることができる。これにより、ユーザにコンテンツをより充分に把握させることが可能となり、ユーザのコンテンツの購入意欲を効果的に高めることができる。
【発明を実施するための最良の形態】
【００４３】
以下、本発明の実施形態について図面を参照して説明する。
始めに、本発明のコンテンツ送信装置及びコンテンツ受信装置を用いてユーザに提示される映像の概略について図１を参照して説明する。図１は、本発明のコンテンツ送信装置及びコンテンツ受信装置を用いてユーザに提示される映像例を示す図である。なお、以下の説明における「広告情報」は、特許請求の範囲の「隠蔽情報」の一例に相当し、「広告映像」は、特許請求の範囲の「隠蔽映像」の一例に相当する。
【００４４】
コンテンツ送信装置は、放送波を介して、映像情報と音声情報を含むコンテンツと、セクション化されたコンテンツの内容を示す広告情報と広告情報の表示制御情報と、を多重化したストリームを配信するものである。コンテンツ受信装置は、コンテンツ送信装置から、コンテンツと、セクション化されたコンテンツに関連のある広告情報と広告情報の表示制御情報と、が多重化されているストリームを受信し、このストリームに含まれた広告情報の表示制御情報に基づいて、ユーザに映像を提示するものである。コンテンツ受信装置で生成されたコンテンツの映像は、モニタなどの表示手段４００に出力されることにより、ユーザが視認可能となる。
【００４５】
ここで、コンテンツ送信装置から送信されるストリームには、表示制御情報として、複数のコンテンツのグループを識別する情報であって、コンテンツ受信装置のグループに応じて受信側で広告映像の表示または非表示をさせるために、予め送信側で指定した情報を示す受信装置グループ指定情報が含まれている。コンテンツ受信装置側では、自装置が受信装置グループ指定情報で指定されたグループに属しない場合、図１左図に示すように、本線映像を生成して表示させ、一方、自装置が、受信装置グループ指定情報で指定されたグループに属する場合には、図１右図に示すように、本線映像の一部をコンテンツと関連のある広告映像で隠した映像を合成し、合成映像を表示させるようになっている。
このように、本発明の実施形態に係るコンテンツ送信装置によれば、送信側で、広告映像を表示させるコンテンツ受信装置のグループを指定することができるので、放送事業者側で、広告映像を提示するユーザの数を管理することが可能となる。また、本発明の実施形態に係るコンテンツ受信装置によれば、受信装置グループ指定情報に基づいて、広告映像の表示または非表示を制御することが可能となる。なお、契約者と未契約者とを区別し、契約者に対しては、図１左図に示す本線映像でコンテンツを視聴させ、未契約者に対しては、コンテンツ受信装置が、受信装置グループ指定情報で指定されたグループに属する場合には、図１左図に示す本線映像の一部を広告映像で隠した映像でコンテンツを視聴させ、コンテンツ受信装置が、受信装置グループ指定情報で指定されたグループに属する場合には、図１右図に示す本線映像でコンテンツを視聴させることも可能である。
【００４６】
［コンテンツ送信装置の構成］
次に、本発明の実施形態に係るコンテンツ送信装置１００の構成について図面を参照して説明する。図２は、本発明の実施形態に係るコンテンツ送信装置の構成を示すブロック構成図である。
図２に示すように、本実施形態に係るコンテンツ送信装置１００は、映像情報と音声情報とを含むコンテンツ１０１ａを複数のコンテンツ受信装置２００（図６参照）に送信するためのものであり、コンテンツ記憶手段１０１と、電子番組ガイド情報記憶手段１０２と、表示制御情報生成用データ記憶手段１０３と、広告情報記憶手段１０４と、契約情報記憶手段１０５と、コンテンツ受信装置ＩＤ記憶手段１０６と、表示制御情報生成手段１０７と、第１のセクション化手段１０８と、第２のセクション化手段１０９と、第３のセクション化手段１１０と、多重化手段１１１と、送信手段１１２と、を主に備えて構成される。
コンテンツ記憶手段１０１は、映像情報と音声情報とを含むコンテンツ１０１ａを記憶するものである。ここで、コンテンツ１０１ａとは、映像情報及び音声情報をＭＰＥＧ−２（Moving Picture Expert Group-2）や、Ｈ．２６４／ＡＶＣ符号化により符号化したものをいう。コンテンツ記憶手段１０１は、例えば、一般的なハードディスクである。
【００４７】
電子番組ガイド情報記憶手段１０２は、デジタル放送で放送される放送番組（コンテンツ）の一覧表である電子番組ガイドを構成する素となる電子番組ガイド情報１０２ａを記憶するものである。電子番組ガイド情報１０２ａは、コンテンツ１０１ａの題名などを示す項目１０２ｃを複数含み、当該複数の項目１０２ｃと関連付けられた複数の第１のイベントＩＤ１０２ｂを含む。電子番組ガイド情報記憶手段１０２は、例えば、一般的なハードディスクである。
電子番組ガイド情報記憶手段１０２に記憶された電子番組ガイド情報１０２ａは、後記するように第１のセクション化手段１０８によりセクション化される。
【００４８】
第１のセクション化手段１０８は、電子番組ガイド情報記憶手段１０２から取得した電子番組ガイド情報１０２ａを、所定のデータ形式に変換することでセクション化を行うものである。第１のセクション化手段１０８は、電子番組ガイド情報１０２ａを、例えば、ＰＳＩ（Program Specific Information）や、ＳＩ（Service Information）により構成されるデータ形式に変換する。第１のセクション化手段１０８で構成されたＰＳＩ／ＳＩは、多重化手段１１１に出力される。
【００４９】
広告情報記憶手段１０４は、受信側で、広告映像として表示される、コンテンツ１０１ａに関連のある広告情報１０４ａを記憶するものである。広告情報記憶手段１０４は、外部から入力された広告情報１０４ａを予め記憶する。ここで、広告情報１０４ａとは、受信側で、映像情報により表示された本線映像の上に重ね合わされ、本線映像の一部を隠す広告映像として表示させる、コンテンツ１０１ａの内容を表す宣伝情報である。広告情報１０４ａは、例えば、テキスト情報、ＰＮＧ（Portable Network Graphics）やＪＰＥＧ（Joint Photographic Experts Group）などの静止画情報、または、ＭＰＥＧ（Motion Picture Experts Group）などの簡易動画情報である。なお、広告情報１０４ａは、一つのコンテンツ１０１ａに対し、一以上含まれているものとする。広告情報記憶手段１０４は、例えば、一般的なハードディスクである。
【００５０】
表示制御情報生成用データ記憶手段１０３は、広告情報１０４ａの表示を制御する表示制御情報を生成するための情報を記憶するものである。表示制御情報生成用データ記憶手段１０３は、本実施形態では、受信装置グループ指定情報１０３ａと、一致データ長１０３ｂと、第１のメッセージＩＤ１０３ｃと、消去可否情報１０３ｄと、消去可能回数１０３ｅと、表示時間情報１０３ｆと、表示位置情報１０３ｇと、第２のイベントＩＤ１０３ｈと、ジャンルＩＤ１０３ｉと、を記憶する。表示制御情報生成用データ記憶手段１０３は、例えば、一般的なハードディスクである。
【００５１】
受信装置グループ指定情報１０３ａとは、複数のコンテンツ受信装置２００（図６参照）のグループを識別する情報であって、受信側で広告情報１０４ａにより表示される広告映像の表示または非表示をさせるグループを、予め送信側で指定した情報である。
受信装置グループ指定情報１０３ａは、複数のコンテンツ受信装置２００（図６参照）にそれぞれ固有のコンテンツ受信装置ＩＤ２０９ａ（図６参照）の部分データに相当する情報である。この部分データは、一致データ長１０３ｂによって、その長さが指定される。この部分データは、複数のコンテンツ受信装置２００（図６参照）にそれぞれ固有のコンテンツ受信装置ＩＤ２０９ａ（図６参照）を構成するビット列のうち、下位のビット列であることが好ましい。例えば、本実施形態では、受信装置グループ指定情報１０３ａを（０ｘ０１）のように規定し、一致データ長１０３ｂを、固有のコンテンツ受信装置ＩＤ２０９ａ（図６参照）を構成するビット列の下位８ビット（０ｘ０８）とする（図４参照）が、これに限定されるものではない。また、受信装置グループ指定情報１０３ａは、後記する表示制御情報生成手段１０７の更新手段１０７ａにより、その値が、例えば、０ｘ００から１ずつインクリメントされ、０ｘＦＦまで変化する。なお、複数のコンテンツ受信装置２００（図６参照）のグループは、例えば、地域やユーザの年齢、性別などに基づいて区分することができる。
【００５２】
第１のメッセージＩＤ１０３ｃとは、広告情報１０４ａを識別するために付与された情報である。
また、消去可否情報１０３ｄとは、受信側で、広告情報１０４ａにより表示される広告映像を、ユーザからの消去要求に基づいて消去または非消去のいずれかをさせるための情報である。
また、消去可能回数１０３ｅとは、受信側で、広告情報１０４ａにより表示される広告映像が、ユーザからの消去要求に基づいて消去可能である場合の、消去可能な回数についての情報である。
【００５３】
表示時間情報１０３ｆとは、受信側で、広告情報１０４ａにより表示される広告映像の表示時間を定めた情報である。例えば、広告映像を１０分間表示させる、などの情報である。表示時間情報１０３ｆは、コンテンツ１０１ａの長さに応じて定められている。
表示位置情報１０３ｇとは、受信側で、広告情報１０４ａにより表示される広告映像の表示位置を定めた情報である。例えば、広告映像を全体の中央に配置する、上半分に配置する、下半分に配置するなどの情報である。
第２のイベントＩＤ１０３ｈとは、広告情報１０４ａが、電子番組ガイド情報１０２ａに含まれる複数の項目１０２ｃに対応する複数のコンテンツのうち、どのコンテンツと関連があるかを示す情報として付与されるものである。
ジャンルＩＤ１０３ｉは、コンテンツ１０１ａがどのようなジャンルに属するかを示す情報として広告情報１０４ａに付与されるものである。
【００５４】
表示制御情報生成手段１０７は、表示制御情報生成用データ記憶手段１０３に記憶された各情報を用いて、受信側で、広告情報１０４ａをどのように表示させるかを示す情報である、表示制御情報を生成するものである。ここで、図３は、図２に示す表示制御情報生成手段で生成される表示制御情報のデータ構造の一例を示す構造図である。図３に示すように、本実施形態では、所定のデータ構造として生成された表示制御情報１２０には、受信装置グループ指定情報１２０ａと、一致データ長１２０ｂと、第１のメッセージＩＤ１２０ｃと、消去可否情報１２０ｄと、消去可能回数１２０ｅと、表示時間情報１２０ｆと、表示位置情報１２０ｇと、第２のイベントＩＤ１２０ｈと、ジャンルＩＤ１２０ｉと、が含まれる。
【００５５】
図２を再び参照して、表示制御情報生成手段１０７は、更新手段１０７ａを備える。
更新手段１０７ａは、表示制御情報生成用データ記憶手段１０３に記憶された受信装置グループ指定情報１０３ａを、所定時間毎に広告情報１０４ａの表示または非表示を切り替えるために更新するものである。更新手段１０７ａは、所定時間毎に表示制御情報生成用データ記憶手段１０３にアクセスして、受信装置グループ指定情報１０３ａを１インクリメントして更新する。ここで、図４は、図２に示す受信装置グループ指定情報が更新手段で更新される様子を説明するための概念図である。
図４に示すように、例えば、９：００の時点で、受信装置グループ指定情報１０３ａが（０ｘ０１）であるとする。更新手段１０７ａは、一時間後の１０：００に、表示制御情報生成用データ記憶手段１０３にアクセスして、受信装置グループ指定情報１０３ａを１インクリメントする。これにより、受信装置グループ指定情報１０３ａが（０ｘ０２）に更新される。このようにして、広告情報１０４ａを広告映像として表示させるコンテンツ受信装置２００のグループが変更される。このように更新された受信装置グループ指定情報１０３ａは、前記したように受信装置グループ指定情報１２０として表示制御情報１２０に含まれ、コンテンツ受信装置２００（図６参照）でコンテンツ受信装置ＩＤ２０９（図６参照）と比較される。
表示制御情報生成手段１０７は、生成した表示制御情報１２０を、第２のセクション化手段１０９に出力する。
【００５６】
ここで、図５は、図２に示す広告情報記憶手段に記憶された広告情報の一例を示す説明図である。図５に示すように、本実施形態では、広告情報記憶手段１０４には、複数の広告情報１０４ａ（広告情報Ａ（広告Ａ）〜広告情報Ｄ（広告Ｄ））が記憶されている。広告情報Ａ（広告Ａ）〜広告情報Ｄ（広告Ｄ）には、第２のイベントＩＤ１０３ｈと、第１のメッセージＩＤ１０３ｃと、ジャンルＩＤ１０３ｉと、がそれぞれ付与されている。例えば、広告情報Ａには、第２のイベントＩＤとして“１”が付与され、第１のメッセージＩＤとして“１”が付与され、ジャンルＩＤとして“Ａ”が付与されている。このように、複数の広告情報１０４ａ（広告情報Ａ（広告Ａ）〜広告情報Ｄ（広告Ｄ））にそれぞれ付与された情報を用いて、受信側で、複数の広告情報１０４ａ（広告情報Ａ（広告Ａ）〜広告情報Ｄ（広告Ｄ））のそれぞれについて表示または非表示が制御される。なお、複数の広告情報１０４ａのうちの一つは、デフォルトの広告情報１０４ａとして予め指定されている。広告情報１０４ａは、もちろん一つであっても良く、その場合は、その広告情報１０４ａがデフォルトの広告情報１０４ａとなる。
【００５７】
図２を再び参照して、第２のセクション化手段１０９は、表示制御情報生成手段１０７で生成された表示制御情報１２０と、広告情報記憶手段１０４に記憶された複数の広告情報１０４ａとを、所定のデータ形式に変換することでセクション化を行うものである。第２のセクション化手段１０９は、表示制御情報１２０と、複数の広告情報１０４ａとを、ＭＰＥＧ−２  Ｓｙｓｔｅｍｓに規定される形式に変換する。第２のセクション化手段１０９は、表示制御情報１２０と、複数の広告情報１０４ａとを、例えば、ＡＲＩＢ  ＳＴＤ−Ｂ２５で定義されるＥＭＭ共通メッセージにより構成されるデータ形式に変換する。第２のセクション化手段１０９は、ＥＭＭ共通メッセージを、多重化手段１１１に出力する。
【００５８】
契約情報記憶手段１０５は、複数のコンテンツ受信装置２００（図６参照）毎に設定された契約情報１０５ａをそれぞれ記憶するものである。契約情報１０５ａは、後記するコンテンツ受信装置ＩＤ１０６ａとそれぞれ関連付けられている。本実施形態では、契約情報１０５ａとして、少なくとも第２のメッセージＩＤ１０５ｂを記憶する。なお、一のコンテンツ受信装置２００（図６参照）のユーザに提示すべき広告情報１０４ａがない場合には、契約情報記憶手段１０５は、第２のメッセージＩＤ１０５ｂを記憶しなくても良い。契約情報記憶手段１０５は、例えば、一般的なハードディスクである。
【００５９】
第２のメッセージＩＤ１０５ｂとは、一のコンテンツ受信装置２００（図６参照）のユーザに提示すべき広告情報１０４ａを特定するための情報である。例えば、受信側で、一のコンテンツ受信装置２００（図６参照）により、広告映像を表示させる場合には、第２のメッセージＩＤ１０５ｂは、表示制御情報１２０に含まれる第１のメッセージＩＤ１２０ｃ（図３参照）と同一の情報である。一方、一のコンテンツ受信装置２００（図６参照）により、広告映像を表示させない場合には、第２のメッセージＩＤ１０５ｂは、第１のメッセージＩＤ１２０ｃ（図３参照）と異なる情報である。
【００６０】
また、本実施形態では、契約情報記憶手段１０５は、契約情報１０５ａとして、消去可能情報１０５ｃと、消去可能回数１０５ｄと、をさらに記憶することとした。消去可能情報１０５ｃとは、受信側で、広告情報１０４ａにより表示される広告映像を、ユーザからの消去要求に基づいて消去させるための情報である。また、消去可能回数１０５ｄとは、受信側で、広告情報１０４ａにより表示される広告映像を消去させる場合の、消去可能回数についての情報である。なお、契約情報１０５ａに含まれる消去可能情報１０５ｃと消去可能回数１０５ｄは、表示制御情報１２０に含まれる消去可否情報１２０ｄと消去可能回数１２０ｅに優先する情報である。
【００６１】
また、本実施形態では、契約情報記憶手段１０５は、契約情報１０５ａとして、表示時間情報１０５ｅと、表示位置情報１０５ｆと、をさらに記憶することとした。
表示時間情報１０５ｅとは、受信側で、広告情報１０４ａにより表示される広告映像の表示時間を定めた情報である。例えば、広告映像を１０分間表示させる、などの情報である。表示時間情報１０５ｅは、コンテンツ１０１ａの長さに応じて定められている。
表示位置情報１０５ｆとは、受信側で、広告情報１０４ａにより表示される広告映像の表示位置を定めた情報である。例えば、広告映像を１０分間表示させる、などの情報である。
なお、契約情報１０５ａに含まれる表示時間情報１０５ｅと表示位置情報１０５ｆは、表示制御情報１２０に含まれる表示時間情報１２０ｆと表示位置情報１２０ｇに優先する情報である。
【００６２】
コンテンツ受信装置ＩＤ記憶手段１０６は、複数のコンテンツ受信装置２００（図６参照）をそれぞれ識別するためのコンテンツ受信装置ＩＤ１０６ａを記憶する。
【００６３】
第３のセクション化手段１１０は、コンテンツ受信装置ＩＤ記憶手段１０６からコンテンツ受信装置ＩＤ１０６ａを取得し、契約情報記憶手段１０５からコンテンツ受信装置ＩＤ１０６ａと関連付けられた契約情報１０５ａを取得し、取得した契約情報１０５ａと、コンテンツ受信装置ＩＤ１０６ａとを、所定のデータ形式に変換することでセクション化を行うものである。第３のセクション化手段１１０は、契約情報１０５ａと、コンテンツ受信装置ＩＤ１０６ａとを、例えば、ＡＲＩＢ  ＳＴＤ−Ｂ２５で定義されるＥＭＭ個別メッセージにより構成されるデータ形式に変換する。第３のセクション化手段１１０は、ＥＭＭ個別メッセージを、多重化手段１１１へ出力する。
【００６４】
多重化手段１１１は、コンテンツ記憶手段１０１から取得したコンテンツ１０１ａと、第１のセクション化手段１０８から入力を受け付けたＰＳＩまたはＳＩと、第２のセクション化手段１０９から入力を受け付けたＥＭＭ共通メッセージと、第３のセクション化手段１１０から入力を受け付けたＥＭＭ個別メッセージと、を多重化してストリームを生成するものである。多重化手段１１１は、例えば、ＭＰＥＧ−２  Ｓｙｓｔｅｍｓを用いて、コンテンツ１０１ａと、ＰＳＩまたはＳＩと、ＥＭＭ共通メッセージと、ＥＭＭ個別メッセージと、を多重化してストリームを生成する。多重化手段１１１は、生成したストリームを送信手段１１２に出力する。
送信手段１１２は、多重化手段１１１からストリームの入力を受け付け、当該入力を受け付けたストリームを図示しない送信アンテナを介して送信することにより、放送波を介して、複数のコンテンツ受信装置２００（図６参照）に送信するものであり、電子回路によって実現される。
【００６５】
［コンテンツ受信装置の構成］
次に、本発明の実施形態に係るコンテンツ受信装置２００の構成について図面を参照して説明する。図６は、本発明の実施形態に係るコンテンツ受信装置の構成を示すブロック構成図である。図６に示すように、本発明の実施形態に係るコンテンツ受信装置２００は、受信手段２０１と、分離手段２０２と、電子番組ガイド情報構成手段２０３と、広告情報抽出手段２０４と、広告情報記憶手段２０５と、表示制御情報抽出手段２０６と、コンテンツ受信装置ＩＤ比較手段２０７と、契約情報抽出手段２０８と、コンテンツ受信装置ＩＤ記憶手段２０９と、契約情報記憶手段２１０と、メッセージＩＤ比較手段２１１と、受信装置グループ指定情報比較手段２１２と、表示制御手段２１３と、映像合成手段２１４と、を主に備えて構成される。
ここで、コンテンツ受信装置ＩＤ記憶手段２０９は、コンテンツ受信装置２００に固有のコンテンツ受信装置ＩＤ２０９ａを記憶するものである。以下の説明では、コンテンツ送信装置１００から送信されたストリームに含まれる各情報については、同じ符号を用い、図２または図３を参照することとする。
【００６６】
受信手段２０１は、図示しない受信アンテナを介してチューナにより、コンテンツ送信装置１００から送信されたストリームを受信するものである。受信したストリームには、コンテンツ１０１ａと、セクション毎の電子番組ガイド情報１０２ａを含むＰＳＩまたはＳＩと、広告情報１０４ａと表示制御情報１２０とを含むＥＭＭ共通メッセージと、複数の契約情報１０５ａと複数のコンテンツ受信装置ＩＤ１０６ａとを含むＥＭＭ個別メッセージと、が含まれる。
受信手段２０１は、受信したストリームを分離手段２０２に出力する。
【００６７】
分離手段２０２は、受信手段２０１で受信したストリームを、コンテンツ１０１ａと、セクション毎の電子番組ガイド情報１０２ａを含むＰＳＩまたはＳＩと、広告情報１０４ａと表示制御情報１２０とを含むＥＭＭ共通メッセージと、契約情報１０５ａとコンテンツ受信装置ＩＤ１０６ａとを含むＥＭＭ個別メッセージと、にそれぞれ分離するものである。
分離手段２０２は、ストリームから分離したコンテンツ１０１ａを、映像合成手段２１４に出力する。また、分離した電子番組ガイド情報１０２ａを含むＰＳＩまたはＳＩを、電子番組ガイド情報構成手段２０３に出力する。また、ストリームから分離した広告情報１０４ａと、表示制御情報１２０と、を含むＥＭＭ共通メッセージを、広告情報抽出手段２０４と表示制御情報抽出手段２０６にそれぞれ出力する。さらに、分離手段２０２は、ストリームから分離した、契約情報１０５ａとコンテンツ受信装置ＩＤ１０６ａと含むＥＭＭ個別メッセージを、コンテンツ受信装置ＩＤ比較手段２０７に出力する。
【００６８】
電子番組ガイド情報構成手段２０３は、分離手段２０２から入力を受け付けたＰＳＩまたはＳＩから電子番組ガイド情報を構成するものである。電子番組ガイド情報構成手段２０３は、構成した電子番組ガイド情報を映像合成手段２１４に出力する。
広告情報抽出手段２０４は、分離手段２０２から入力を受け付けたＥＭＭ共通メッセージから広告情報１０４ａを抽出するものである。
【００６９】
広告情報記憶手段２０５は、広告情報抽出手段２０４から入力を受け付けた広告情報１０４ａを記憶するものである。広告情報記憶手段２０５は、例えば、一般的なハードディスクである。
表示制御情報抽出手段２０６は、分離手段２０２から入力を受け付けたＥＭＭ共通メッセージから、表示制御情報１２０を抽出するものである。また、表示制御情報抽出手段２０６は、抽出した表示制御情報１２０を、メッセージＩＤ比較手段２１１及び後記する表示制御手段２１３に出力する。以上説明した分離手段２０２と、広告情報抽出手段２０４と、表示制御情報抽出手段２０６と、が特許請求の範囲の「分離手段」に相当する。
【００７０】
コンテンツ受信装置ＩＤ比較手段２０７は、コンテンツ受信装置ＩＤ記憶手段２０９に記憶された自装置に固有のコンテンツ受信装置ＩＤ２０９ａを取得し、また、分離手段２０２でストリームから分離されたＥＭＭ個別メッセージに含まれるコンテンツ受信装置ＩＤ１０６ａを取得し、当該コンテンツ受信装置ＩＤ１０６ａと当該固有のコンテンツ受信装置ＩＤ２０９ａとを比較して一致するか否かを判定するものである。これにより、分離手段２０２でストリームから分離されたＥＭＭ個別メッセージに含まれる契約情報１０５ａが、自装置宛に送信された情報であるか否かを判別することができる。コンテンツ受信装置ＩＤ比較手段２０７は、判定結果及びＥＭＭ個別メッセージを、契約情報抽出手段２０８に出力する。
【００７１】
契約情報抽出手段２０８は、ＥＭＭ個別メッセージから契約情報１０５ａを抽出するものである。契約情報抽出手段２０８は、コンテンツ受信装置ＩＤ比較手段２０７から、「自装置に固有のコンテンツ受信装置ＩＤ２０９ａと、コンテンツ受信装置ＩＤ１０６ａと、が一致する」という判定結果の入力を受け付けた場合は、ＥＭＭ個別メッセージが、自装置宛に送信されたものであると判断し、このＥＭＭ個別メッセージから契約情報１０５ａを抽出して契約情報記憶手段２１０に格納する。また、契約情報抽出手段２０８は、契約情報１０５ａを抽出した旨をメッセージＩＤ比較手段２１１に通知する。
【００７２】
一方、契約情報抽出手段２０８は、コンテンツ受信装置ＩＤ比較手段２０７から、「自装置に固有のコンテンツ受信装置ＩＤ２０９ａと、コンテンツ受信装置ＩＤ１０６ａと、が一致しない」という判定結果の入力を受け付けた場合は、ＥＭＭ個別メッセージが、自装置宛に送信されたものではないと判定し、このＥＭＭ個別メッセージから契約情報１０５ａを抽出しない。
【００７３】
契約情報記憶手段２１０は、契約情報抽出手段２０８で抽出された契約情報１０５ａを記憶するものであり、例えば、ＩＣカードなどのセキュアな不揮発メモリ等によって構成される。契約情報記憶手段２１０は、例えば、一般的なハードディスクである。
【００７４】
メッセージＩＤ比較手段２１１は、契約情報抽出手段２０８から、「契約情報１０５ａを抽出した」旨の通知を受け付けた場合に、契約情報記憶手段２１０から契約情報１０５ａを取得し、契約情報１０５ａに含まれる第２のメッセージＩＤ１０５ｂ（図２参照）と、表示制御情報抽出手段２０６から入力を受け付けた表示制御情報１２０に含まれる第１のメッセージＩＤ１２０ｃと、を比較し、これらが一致するか否かを判定するものである。
【００７５】
メッセージＩＤ比較手段２１１は、表示制御情報１２０に含まれる第１のメッセージＩＤ１２０ｃと契約情報１０５ａに含まれる第２のメッセージＩＤ１０５ｂが一致すると判定した場合は、表示制御情報１２０を受信装置グループ指定情報比較手段２１２に出力する。一方、メッセージＩＤ比較手段２１１は、表示制御情報１２０に含まれる第１のメッセージＩＤ１２０ｃと、契約情報１０５ａに含まれる第２のメッセージＩＤ１０５ｂが一致しないと判定した場合は、当該判定結果を合成指示手段２１３ａに出力する。
【００７６】
受信装置グループ指定情報比較手段２１２は、メッセージＩＤ比較手段２１１から、「第１のメッセージＩＤ１２０ｃと第２のメッセージＩＤ１０５ｂが一致する」という判定結果の入力を受け付けた場合に、コンテンツ受信装置ＩＤ記憶手段２０９から、自装置に固有のコンテンツ受信装置ＩＤ２０９ａを取得し、メッセージＩＤ比較手段２１１から入力を受け付けた表示制御情報１２０に含まれる受信装置グループ指定情報１２０ａと、取得した固有のコンテンツ受信装置ＩＤ２０９ａの部分データと、を一致データ長１２０ｂに従って比較し、これらが一致するか否かを判定するものである。
【００７７】
受信装置グループ指定情報比較手段２１２は、受信装置グループ指定情報１２０ａと、固有のコンテンツ受信装置ＩＤ２０９ａの部分データとを比較し、これらが一致すると判定した場合には、自装置が、送信側で指定された、広告情報１０４ａにより表示される広告映像を表示させるコンテンツ受信装置のグループに属するものとし、当該判定結果を表示制御手段２１３に出力する。これにより、自装置が、送信側で指定された、広告情報１０４ａを表示させるコンテンツ受信装置のグループに属しているか否かを判別することができる。
【００７８】
表示制御手段２１３は、受信装置グループ指定情報比較手段２１２から受信した判定結果に基づいて、映像合成手段２１４に対し、どのような映像を合成するかという指示を行うものである。
ここで、表示制御手段２１３の詳細な構成を説明する。図７は、本発明の実施形態に係るコンテンツ受信装置に含まれる表示制御手段の詳細な構成を示すブロック構成図である。図７に示すように、表示制御手段２１３は、合成指示手段２１３ａを備える。合成指示手段２１３ａは、映像合成手段２１４に、どのような映像を合成するかを指示するものである。具体的には、合成指示手段２１３ａは、映像合成手段２１４に、映像情報と広告情報とを合成するか、合成せずに映像情報を本線映像とするか、広告映像を表示中の電子番組ガイドと並べて表示する合成映像を生成するか、のいずれかの指示を出す。
【００７９】
すなわち、合成指示手段２１３ａは、受信装置グループ指定情報比較手段２１２で、受信装置グループ指定情報１２０ａと固有のコンテンツ受信装置ＩＤ２０９ａの部分データとが一致するという判定結果の入力を受け付けた場合、複数の広告情報１０４ａのうち、映像情報と合成すべき広告情報１０４ａを識別する情報を出力する。このとき、複数の広告情報１０４ａ（広告情報Ａ（広告Ａ）〜広告情報Ｄ（広告Ｄ））（図５参照）のうち、送信側で指定されたデフォルトの広告情報１０４ａを識別する情報を出力する。
また、合成指示手段２１３ａは、映像合成手段２１４に、表示制御情報１２０に含まれる表示位置情報１２０ｇをあわせて通知する。
【００８０】
一方、合成指示手段２１３ａは、受信装置グループ指定情報比較手段２１２で、受信装置グループ指定情報１２０ａと固有のコンテンツ受信装置ＩＤ２０９ａの部分データとが一致しないという判定結果の入力を受け付けた場合、映像合成手段２１４に、映像情報と広告情報１０４ａとを合成しないよう指示を出す。なお、映像情報を本線映像とするとは、映像情報をデコードすることを示し、広告情報１０４ａを広告映像とするとは、広告情報１０４ａをデコードすることを示す。
【００８１】
また、合成指示手段２１３ａは、入力手段３００を介して入力された、ユーザからの電子番組ガイドの表示要求の入力を受け付けると、映像合成手段２１４に、広告情報１０４ａを広告映像として、当該広告映像を表示中の電子番組ガイドと並べて表示する合成映像を生成するよう指示を出す。なお、広告情報１０４ａが複数ある場合の、複数の広告情報１０４ａからの一の広告情報１０４ａの選択の仕方については、後記する。
【００８２】
また、本実施形態では、表示制御手段２１３は、消去回数計測手段２１３ｂと、消去回数記憶手段２１３ｃと、消去回数比較手段２１３ｄと、をさらに備えることとした。
消去回数計測手段２１３ｂは、本線映像の一部に重ね合わせて表示された広告映像の消去回数を計測するものである。
消去回数記憶手段２１３ｃは、消去回数計測手段２１３ｂで計測された消去回数２１３ｃ１を記憶するものである。消去回数記憶手段２１３ｃは、例えば、一般的なハードディスクである。
消去回数比較手段２１３ｄは、消去回数記憶手段２１３ｃに記憶された消去回数２１３ｃ１と、表示制御情報１２０に含まれる消去可能回数１２０ｅとを比較し、消去回数２１３ｃ１が消去可能回数１２０ｅを超えていないか否かを判定するものである。
【００８３】
消去回数比較手段２１３ｄは、入力手段３００を介して、ユーザからの広告映像の消去要求の入力を受け付けると、契約情報記憶手段２１０から契約情報１０５ａを取得し、当該契約情報１０５ａが消去可能情報１０５ｃを含むか否かを判定する。そして、消去回数比較手段２１３ｄは、契約情報１０５ａが消去可能情報１０５ｃを含むと判定した場合、消去回数記憶手段２１３ｃから消去回数２１３ｃ１を取得すると共に、契約情報記憶手段２１０から消去可能回数１０５ｄを取得する。
【００８４】
そして、消去回数比較手段２１３ｄは、消去回数２１３ｃ１と消去可能回数１０５ｄを比較し、消去回数２１３ｃ１が消去可能回数１０５ｄを超えているか否かを判定する。消去回数比較手段２１３ｄは、「消去回数２１３ｃ１が消去可能回数１０５ｄを超えている」と判定した場合、処理を終了する。消去回数比較手段２１３ｄは、消去回数比較手段２１３ｄによって、「消去回数２１３ｃ１が消去可能回数１０５ｄを超えていない」と判定した場合、当該判定結果を合成指示手段２１３ａに出力する。
【００８５】
合成指示手段２１３ａは、消去回数比較手段２１３ｄから、「消去回数２１３ｃ１が消去可能回数１０５ｄを超えない」という判定結果の入力を受け付けた場合、消去回数計測手段２１３ｂを介して消去回数２１３ｃ１を１インクリメントし、映像合成手段２１４に、コンテンツ１０１ａの映像情報と広告情報１０４ａとを合成しないよう指示を出す。
映像合成手段２１４は、合成指示手段２１３ａからの指示に従い、映像情報を本線映像とし、当該本線映像を、外部の、例えば表示手段４００（図１参照）に出力する。
【００８６】
一方、消去回数比較手段２１３ｄは、契約情報１０５ａが消去可能情報１０５ｃを含まないと判定した場合、表示制御情報１２０に含まれる消去可否情報１２０ｄを取得する。
そして、消去回数比較手段２１３ｄは、消去可否情報１２０ｄが、広告映像を消去可能であることを示す情報なのか消去不可であることを示す情報なのかを判定する。消去回数比較手段２１３ｄは、消去可否情報１２０ｄが「広告映像を消去可能である」ことを示す情報であると判定した場合、消去回数記憶手段２１３ｃから消去回数２１３ｃ１を取得すると共に、表示制御情報１２０に含まれる消去可能回数１２０ｅを取得する。
そして、消去回数比較手段２１３ｄは、消去回数２１３ｃ１と消去可能回数１２０ｅを比較し、消去回数２１３ｃ１が消去可能回数１２０ｅを超えているか否かを判定する。コンテンツ受信装置２００は、消去回数比較手段２１３ｄによって、「消去回数２１３ｃ１が消去可能回数１２０ｅを超えている」と判定した場合、処理を終了する。消去回数比較手段２１３ｄは、「消去回数２１３ｃ１が消去可能回数１２０ｅを超えていない」と判定した場合、当該判定結果を合成指示手段２１３ａに出力する。
【００８７】
そして、合成指示手段２１３ａは、消去回数比較手段２１３ｄから、「消去回数２１３ｃ１が消去可能回数１２０ｅを超えない」という判定結果の入力を受け付けると、消去回数計測手段２１３ｂを介して消去回数記憶手段２１３ｃに記憶された消去回数２１３ｃ１を１インクリメントし、映像合成手段２１４に、コンテンツ１０１ａの映像情報と広告情報１０４ａとを合成しないよう指示を出す。
なお、広告映像の消去を可能とし、かつ、消去回数に制限を設けない場合には、消去回数計測手段２１３ｂ、消去回数記憶手段２１３ｃ及び消去回数比較手段２１３ｄを設けなくても良い。
【００８８】
また、本実施形態では、表示制御手段２１３は、ジャンルＩＤ比較手段２１３ｅをさらに備えることとした。ジャンルＩＤ比較手段２１３ｅは、コンテンツ１０１ａのジャンルＩＤ１０１ｉ（図６参照）と、複数の広告情報１０４ａ（広告情報Ａ（広告Ａ）〜広告情報Ｄ（広告Ｄ））にそれぞれ付与されたジャンルＩＤ１２０ｉ（図３及び図５参照）とをそれぞれ比較するものである。ジャンルＩＤ比較手段２１３ｅは、受信装置グループ指定情報比較手段２１２から、受信装置グループ指定情報１２０ａと固有のコンテンツ受信装置ＩＤ２０９ａの部分データとが一致するという判定結果の入力を受け付けると、初期設定で設定されているコンテンツ１０１ａのジャンルＩＤ１０１ｉと、ジャンルＩＤ１２０ｉとを取得する。なお、ジャンルＩＤ１０１ｉは、予め図示しない記憶手段に記憶されていても良い。
【００８９】
ジャンルＩＤ比較手段２１３ｅは、ジャンルＩＤ１０１ｉとジャンルＩＤ１２０ｉとを比較し、複数の広告情報１０４ａ（広告情報Ａ（広告Ａ）〜広告情報Ｄ（広告Ｄ））の中に、初期設定のジャンルＩＤ１０１ｉと一致するジャンルＩＤ１２０ｉが付与されたものがあるか否かを判定する。ジャンルＩＤ比較手段２１３ｅは、初期設定のジャンルＩＤ１０１ｉと一致するジャンルＩＤ１２０ｉがあると判定した場合、当該判定結果を合成指示手段２１３ａに出力し、初期設定のジャンルＩＤ１０１ｉと一致するジャンルＩＤ１２０ｉが付与された広告情報がないと判定した場合、当該判定結果を合成指示手段２１３ａに出力する。なお、ジャンルＩＤ１０１ａを設定しない場合には、ジャンルＩＤ比較手段２１３ｅを設けなくても良い。
【００９０】
合成指示手段２１３ａは、ジャンルＩＤ比較手段２１３ｅから、「複数の広告情報１０４ａ（広告情報Ａ（広告Ａ）〜広告情報Ｄ（広告Ｄ））の中に、ジャンルＩＤ１０１ｉと一致するジャンルＩＤ１２０ｉ（図３参照）を有するものがある」という判定結果の入力を受け付けると、映像合成手段２１４に、初期設定のジャンルＩＤ１０１ｉと一致するジャンルＩＤ１２０ｉが付与された広告情報１０４ａを識別する情報を出力する。一方、合成指示手段２１３ａは、ジャンルＩＤ比較手段２１３ｅから、「複数の広告情報１０４ａ（広告情報Ａ（広告Ａ）〜広告情報Ｄ（広告Ｄ））の中に、ジャンルＩＤ１０１ｉと一致するジャンルＩＤ１２０ｉ（図３参照）を有するものがない」という判定結果の入力を受け付けた場合、映像合成手段２１４に、デフォルトの広告情報１０４ａを識別する情報を出力する。
【００９１】
また、本実施形態では、表示制御手段２１３は、イベントＩＤ比較手段２１３ｆをさらに備えることとした。イベントＩＤ比較手段２１３ｆは、電子番組ガイド情報構成手段２０３で構成された電子番組ガイド情報１０２ａを識別する第１のイベントＩＤ１０２ｂと表示制御情報１２０に含まれた第２のイベントＩＤ１２０ｈとを比較するものである。
合成指示手段２１３ａによって、入力手段３００を介して、ユーザによる電子番組ガイドに表示されたある項目１０２ｃの選択の入力を受け付けると、イベントＩＤ比較手段２１３ｆは、選択された項目１０２ｃに対応付けられた第１のイベントＩＤ１０２ｂ（図２参照）と、広告情報１０４ａにそれぞれ付与された第２のイベントＩＤ１２０ｈ（図２参照）と、を比較し、選択された項目１０２ｃに対応付けられた第１のイベントＩＤ１０２ｂ（図２参照）と一致する第２のイベントＩＤ１２０ｈ（図３参照）があるか否かを判定する。ここで、「項目」とは、例えば入力手段３００がリモコンキーである場合に、当該リモコンキーの上下左右の選択ボタンで選択される領域に表示されユーザが選択可能な、放送番組名などをいうものである。
【００９２】
イベントＩＤ比較手段２１３ｆは、選択された項目１０２ｃに対応付けられた第１のイベントＩＤ１０２ｂ（図２参照）と一致する第２のイベントＩＤ１２０ｈ（図３参照）があると判定した場合、当該判定結果を合成指示手段２１３ａに出力する。
合成指示手段２１３ａは、イベントＩＤ比較手段２１３ｆから、「選択された項目１０２ｃに対応付けられた第１のイベントＩＤ１０２ｂ（図２参照）と一致する第２のイベントＩＤ１２０ｈ（図３参照）がある」という判定結果の入力を受け付けた場合、映像合成手段２１４に、複数の広告情報１０４ａのうち、当該第２のイベントＩＤ１２０ｈ（図３参照）が付与された広告情報１０４ａを識別する情報を出力する。
【００９３】
映像合成手段２１４は、表示制御手段２１３からの指示に基づいた映像を生成し、出力するものである。
すなわち、映像合成手段２１４は、表示制御手段２１３の合成指示手段２１３ａから、広告情報１０４ａを識別する情報の入力を受け付けた場合、識別された広告情報１０４ａを広告映像とし、コンテンツ１０１ａの映像情報を本線映像として、本線映像を背景とし、広告映像を前景として、本線映像の一部に広告映像を重ね合わせて合成する。
一方、映像合成手段２１４は、合成指示手段２１３ａから、映像情報と広告情報１０４ａとを合成しないとの指示の入力を受け付けた場合、コンテンツ１０１ａの映像情報を本線映像とする。
また、映像合成手段２１４は、分離手段２０２からコンテンツ１０１ａ（図２参照）の入力を受け付け、電子番組ガイド情報構成手段２０３から電子番組ガイド情報の入力を受け付ける。そして、合成指示手段２１３ａから、第２のイベントＩＤ１２０ｈ（図３参照）が付与された広告情報１０４ａを識別する情報の入力を受け付けた場合、当該識別された広告情報１０４ａを広告映像とし、電子番組ガイドと並べて合成した映像を生成する。
映像合成手段２１４で生成された映像は、例えば、表示手段４００（図１参照）に出力され、表示される。
【００９４】
なお、合成指示手段２１３ａは、映像合成手段２１４に、広告映像を、本線映像の１５％以上７０％以下を隠す大きさとして合成するように指示を出す。詳細には、合成指示手段２１３は、広告映像が本線映像を隠す範囲として、１５％以上７０％以下の範囲内でいずれかの数値を指定することで、広告映像の大きさを指定する。広告映像を、本線映像の１５％より少ない範囲を隠す大きさとすると、本線映像を隠す面積が少なすぎてしまい、ユーザに、コンテンツを購入し広告映像が表示されない状態で視聴したいという意欲を起こさせる効果が充分に得られないおそれがあるためである。一方、広告映像を、本線映像の７０％より多い範囲を隠す大きさとすると、本線映像を隠す面積が多すぎて、ユーザにコンテンツへの興味を失わせてしまい、コンテンツの購入意欲を低下させてしまうおそれがあるためである。好ましくは、合成指示手段２１３ａは、映像合成手段２１４に、広告映像を、本線映像の２０％以上６０％以下を隠す大きさとして合成するように指示を出す。より好ましくは、合成指示手段２１３ａは、映像合成手段２１４に、広告映像を、本線映像の３０％以上５０％以下を隠す大きさとして合成するように指示を出す。
また、合成指示手段２１３ａは、広告映像の表示時間情報１２０ｆ及び表示位置情報１２０ｇをあわせて通知する。また、合成指示手段２１３ａは、映像合成手段２１４に、広告映像をどのような形で表示させるかの指示を出す。例えば、広告映像を２分割して表示させるように指示を出す。
【００９５】
［コンテンツ送信装置の動作］
次に、本実施形態に係るコンテンツ送信装置１００の動作について図８及び適宜図２及び図３を参照して説明する。図８は、本実施形態に係るコンテンツ送信装置の動作を示すフローチャートである。予め、コンテンツ１０１ａは、コンテンツ記憶手段１０１に記憶され、電子番組ガイド情報１０２ａは、電子番組ガイド情報記憶手段１０２に記憶され、表示制御情報生成用データである受信装置グループ指定情報１０３ａ〜ジャンルＩＤ１０３ｉ（図２参照）は、表示制御情報生成用データ記憶手段１０３に記憶され、複数の広告情報１０４ａは、広告情報記憶手段１０４に記憶され、複数の契約情報１０５ａは、契約情報記憶手段１０５に記憶され、複数の固有のコンテンツ受信装置ＩＤ１０６ａは、コンテンツ受信装置ＩＤ記憶手段１０６に記憶されているものとする。
【００９６】
図８に示すように、コンテンツ送信装置１００は、第１のセクション化手段１０８によって、電子番組ガイド情報記憶手段１０２から電子番組ガイド情報１０２ａを取得する（ステップＳ１）。第１のセクション化手段１０８は、取得した電子番組ガイド情報１０２ａをＰＳＩまたはＳＩとして構成し、多重化手段１１１に出力する（ステップＳ２）。
コンテンツ送信装置１００は、表示制御情報生成手段１０７によって、表示制御情報生成用データ記憶手段１０３から表示制御情報生成用データである受信装置グループ指定情報１０３ａ〜ジャンルＩＤ１０３ｉ（図２参照）を取得する（ステップＳ３）。コンテンツ送信装置１００は、表示制御情報生成手段１０７によって、取得した表示制御情報生成用データである受信装置グループ指定情報１０３ａ〜ジャンルＩＤ１０３ｉから表示制御情報１２０を生成し、生成した表示制御情報１２０を第２のセクション化手段１０９に出力する（ステップＳ４）。
【００９７】
次に、コンテンツ送信装置１００は、第２のセクション化手段１０９によって、広告情報記憶手段１０４から複数の広告情報１０４ａを取得する（ステップＳ５）。そして、コンテンツ送信装置１００は、第２のセクション化手段１０９によって、複数の広告情報１０４ａと表示制御情報１２０をＥＭＭ共通メッセージとして構成し、多重化手段１１１に出力する（ステップＳ６）。
【００９８】
さらに、コンテンツ送信装置１００は、第３のセクション化手段１１０によって、契約情報記憶手段１０５から複数の契約情報１０５ａを取得すると共に、コンテンツ受信装置ＩＤ記憶手段１０６から複数のコンテンツ受信装置ＩＤ１０６ａを取得する（ステップＳ７）。コンテンツ送信装置１００は、第３のセクション化手段１１０によって、取得した複数の契約情報１０５ａと複数のコンテンツ受信装置ＩＤ１０６ａをそれぞれＥＭＭ個別メッセージとして構成し、多重化手段１１１に出力する（ステップＳ８）。
【００９９】
そして、コンテンツ送信装置１００は、多重化手段１１１によって、コンテンツ記憶手段１０１からコンテンツ１０１ａを取得し、取得したコンテンツ１０１ａと、第１のセクション化手段１０８から入力を受け付けたＰＳＩまたはＳＩと、第２のセクション化手段１０９から入力を受け付けたＥＭＭ共通メッセージと、第３のセクション化手段１１０から入力を受け付けたＥＭＭ個別メッセージと、を多重化してストリームを生成し、生成したストリームを送信手段１１２に出力する（ステップＳ９）。
そして、コンテンツ送信装置１００は、送信手段１１２によって、多重化手段１１１から入力を受け付けたストリームを、図示しない送信アンテナを介して、複数のコンテンツ受信装置２００（図６参照）に送信する（ステップＳ１０）。
【０１００】
［コンテンツ受信装置の動作］
次に、コンテンツ受信装置の動作について図９、図１０及び適宜図６、図７を参照して説明する。図９は、本実施形態に係るコンテンツ受信装置の動作（その１）を示すフローチャートである。図１０は、本実施形態に係るコンテンツ受信装置の動作（その２）を示すフローチャートである。
図９に示すように、コンテンツ受信装置２００は、受信手段２０１によって、ストリームを受信し（ステップＳ２１）、分離手段２０２に出力する。そして、コンテンツ受信装置２００は、分離手段２０２によって、受信手段２０１から入力を受け付けたストリームを、コンテンツ１０１ａと、ＰＳＩまたはＳＩと、ＥＭＭ共通メッセージと、ＥＭＭ個別メッセージと、に分離する（ステップＳ２２）。また、コンテンツ受信装置２００は、分離手段２０２によって、ストリームから分離したコンテンツ１０１ａを、映像合成手段２１４に出力する。また、分離した電子番組ガイド情報１０２ａを含むＰＳＩまたはＳＩを、電子番組ガイド情報構成手段２０３に出力する。また、ストリームから分離した広告情報１０４ａと表示制御情報１２０とを含むＥＭＭ共通メッセージを、広告情報抽出手段２０４と表示制御情報抽出手段２０６にそれぞれ出力する。さらに、分離手段２０２は、ストリームから分離した契約情報１０５ａと、コンテンツ受信装置ＩＤ１０６ａと、含むＥＭＭ個別メッセージを、コンテンツ受信装置ＩＤ比較手段２０７に出力する。
【０１０１】
コンテンツ受信装置２００は、電子番組ガイド情報構成手段２０３によって、分離手段２０２から入力を受け付けたＰＳＩまたはＳＩから電子番組ガイド情報を構成する（ステップＳ２３）。コンテンツ受信装置２００は、電子番組ガイド情報構成手段２０３によって、構成した電子番組ガイド情報を映像合成手段２１４に出力する。
また、コンテンツ受信装置２００は、広告情報抽出手段２０４によって、分離手段２０２から入力を受け付けたＥＭＭ共通メッセージから、複数の広告情報１０４ａを抽出し、広告情報記憶手段２０５に格納する（ステップＳ２４）。
【０１０２】
また、コンテンツ受信装置２００は、表示制御情報抽出手段２０６によって、分離手段２０２から入力を受け付けたＥＭＭ共通メッセージから表示制御情報１２０を抽出し、メッセージＩＤ比較手段２１１と表示制御手段２１３にそれぞれ出力する（ステップＳ２５）。
また、コンテンツ受信装置２００は、コンテンツ受信装置ＩＤ比較手段２０７によって、分離手段２０２から入力を受け付けたＥＭＭ個別メッセージから、コンテンツ受信装置ＩＤ１０６ａを取得すると共にコンテンツ受信装置ＩＤ記憶手段２０９から、自装置に固有のコンテンツ受信装置ＩＤ２０９ａを取得し（ステップＳ２６）、コンテンツ受信装置ＩＤ１０６ａと、固有のコンテンツ受信装置ＩＤ２０９ａと、が一致するか否かを判定する（ステップＳ２７）。
【０１０３】
コンテンツ受信装置２００は、コンテンツ受信装置ＩＤ比較手段２０７によって、コンテンツ受信装置ＩＤ１０６ａと、固有のコンテンツ受信装置ＩＤ２０９ａと、が一致すると判定した場合（ステップＳ２８でＹｅｓ）、契約情報抽出手段２０８に、ＥＭＭ個別メッセージを出力する。そして、コンテンツ受信装置２００は、契約情報抽出手段２０８によって、ＥＭＭ個別メッセージから、契約情報１０５ａを抽出し、契約情報記憶手段２１０に格納する（ステップＳ２９）。また、コンテンツ受信装置２００は、契約情報抽出手段２０８によって、メッセージＩＤ比較手段２１１に、契約情報１０５ａを抽出した旨通知する。一方、コンテンツ受信装置ＩＤ比較手段２０７によって、コンテンツ受信装置ＩＤ１０６ａと、固有のコンテンツ受信装置ＩＤ２０９ａと、が一致しないと判定した場合（ステップＳ２８でＮｏ）、当該判定結果を表示制御手段２１３に出力し、表示制御手段２１３（合成指示手段２１３ａ）によって、映像合成手段２１４に、映像情報を本線映像とするように指示を出す（図１０のステップＳ４３）。
【０１０４】
ステップＳ２９に続いて、コンテンツ受信装置２００は、メッセージＩＤ比較手段によって、契約情報抽出手段２０８から「契約情報１０５ａを抽出した」という通知の入力を受け付けると、契約情報記憶手段２１０に記憶された契約情報１０５ａに含まれる第２のメッセージＩＤ１０５ｂを取得する。また、ステップＳ２５で抽出された表示制御情報１２０から第１のメッセージＩＤ１２０ｃを取得する（ステップＳ３０）。そして、コンテンツ受信装置２００は、メッセージＩＤ比較手段２１１によって、表示制御情報抽出手段２０６から入力を受け付けた表示制御情報１２０に含まれる第１のメッセージＩＤ１２０ｃと、契約情報記憶手段２１０から取得した第２のメッセージＩＤ１０５ｂを比較し、第１のメッセージＩＤ１２０ｃと第２のメッセージＩＤ１０５ｂとが一致するか否かを判定する（ステップＳ３１）。
【０１０５】
コンテンツ受信装置２００は、メッセージＩＤ比較手段２１１によって、第１のメッセージＩＤ１２０ｃと第２のメッセージＩＤ１０５ｂとが一致すると判定した場合（ステップＳ３２でＹｅｓ）、表示制御情報１２０を、受信装置グループ指定情報比較手段２１２に出力する（ステップＳ３３）。一方、メッセージＩＤ比較手段２１１によって、第１のメッセージＩＤ１２０ｃと第２のメッセージＩＤ１０５ｂとが一致しないと判定した場合（ステップＳ３２でＮｏ）、当該判定結果を合成指示手段２１３ａに出力する。コンテンツ受信装置２００は、合成指示手段２１３ａによって、メッセージＩＤ比較手段２１１から、「第１のメッセージＩＤ１２０ｃと第２のメッセージＩＤ１０５ｂとが一致しない」という判定結果の入力を受け付けた場合、映像合成手段２１４に、「コンテンツ１０１ａの映像情報と広告情報１０４ａとを合成しない」という指示を出す（図１０のステップＳ４３）。コンテンツ受信装置２００は、映像合成手段２１４によって、合成指示手段２１３ａから、「コンテンツ１０１ａの映像情報と広告情報１０４ａとを合成しない」という指示の入力を受け付けると、コンテンツ１０１ａの映像情報を本線映像とし、当該本線映像を、外部の例えば表示手段４００（図１参照）に出力する（図１０のステップＳ４４）。
【０１０６】
ステップＳ３３に続いて、コンテンツ受信装置２００は、受信装置グループ指定情報比較手段２１２によって、メッセージＩＤ比較手段２１１から表示制御情報１２０の入力を受け付けると、コンテンツ受信装置ＩＤ記憶手段２０９から、自装置に固有のコンテンツ受信装置ＩＤ２０９ａを取得する（ステップＳ３４）。コンテンツ受信装置２００は、受信装置グループ指定情報比較手段２１２によって、コンテンツ受信装置ＩＤ記憶手段２０９から取得した固有のコンテンツ受信装置ＩＤ２０９ａの部分データと、表示制御情報抽出手段２０６から入力を受け付けた表示制御情報１２０に含まれる受信装置グループ指定情報１２０ａと、を表示制御情報１２０に含まれる一致データ長１２０ｂに従って比較し（ステップＳ３５）、これらが一致するか否かを判定する。
【０１０７】
コンテンツ受信装置２００は、受信装置グループ指定情報比較手段２１２によって、コンテンツ受信装置ＩＤ１０６ａの部分データと受信装置グループ指定情報１２０ａとが一致する（自装置が、広告情報１０４ａを表示させるグループに属する）と判定した場合（ステップＳ３６でＹｅｓ）、当該判定結果を、合成指示手段２１３ａに出力する（ステップＳ３７）。
【０１０８】
コンテンツ受信装置２００は、合成指示手段２１３ａによって、受信装置グループ指定情報比較手段２１２から、「コンテンツ受信装置ＩＤ１０６ａの部分データと受信装置グループ指定情報１２０ａとが一致する」という判定結果の入力を受け付けた場合、ジャンルＩＤ比較手段２１３ｅによって、コンテンツ受信装置２００に初期設定されたジャンルＩＤ１０１ｉと、表示制御情報１２０に含まれた複数のジャンルＩＤ１２０ｉをそれぞれ取得する（ステップＳ３８）。
そして、コンテンツ受信装置２００は、ジャンルＩＤ比較手段２１３ｅによって、ジャンルＩＤ１０１ｉと、複数のジャンルＩＤ１２０ｉと、をそれぞれ比較し、複数のジャンルＩＤ１２０ｉの中に、ジャンルＩＤ１０１ｉと一致するジャンルＩＤ１２０ｉがあるか否かを判定する（ステップＳ３９）。
【０１０９】
コンテンツ受信装置２００は、ジャンルＩＤ比較手段２１３ｅによって、複数のジャンルＩＤ１２０ｉの中に、ジャンルＩＤ１０１ｉと一致するジャンルＩＤ１２０ｉがあると判定した場合（ステップＳ４０でＹｅｓ）、当該判定結果を、合成指示手段２１３ａに出力する。一方、コンテンツ受信装置２００は、ジャンルＩＤ比較手段２１３ｅによって、ジャンルＩＤ１０１ｉと一致するジャンルＩＤ１２０ｉがないと判定した場合（ステップＳ４０でＮｏ）、当該判定結果を合成指示手段２１３ａに出力する。コンテンツ受信装置２００は、合成指示手段２１３ａによって、ジャンルＩＤ比較手段２１３ｅから、「複数のジャンルＩＤ１２０ｉの中に、ジャンルＩＤ１０１ｉと一致するジャンルＩＤ１２０ｉがある」という判定結果の入力を受け付けた場合、映像合成手段２１４に、ジャンルＩＤ１０１ｉと一致するジャンルＩＤ１２０ｉが付与された広告情報１０４ａを識別する情報を出力する（ステップＳ４１）。
【０１１０】
例えば、初期設定のコンテンツのジャンルＩＤが“Ａ”である場合、ジャンルＩＤ比較手段２１３ｅによって、複数の広告情報１０４ａ（広告情報Ａ（広告Ａ）〜広告情報Ｄ（広告Ｄ））（図５参照）の中から、ジャンルＩＤ１２０ｉとして“Ａ”が付与された広告情報１０４ａである広告情報Ａ（広告Ａ）と広告情報Ｄ（広告Ｄ）を一致するものと判定する。そして、コンテンツ受信装置２００は、合成指示手段２１３ａによって、映像合成手段２１４に、広告情報Ａを識別する情報と広告情報Ｄを識別する情報を出力する。
なお、合成指示手段２１３ａは、広告映像の大きさを指定し、指定した大きさで本線映像と合成するように、映像合成手段２１４に指示を出す。ここで、合成指示手段２１３ａは、広告映像が本線映像を隠す範囲として、１５％以上７０％以下の範囲内でいずれかの数値を指定することで、広告映像の大きさを指定する。また、合成指示手段２１３ａは、広告映像の表示時間情報１２０ｆ及び表示位置情報１２０ｇをあわせて通知する。また、合成指示手段２１３ａは、映像合成手段２１４に、広告映像をどのような形で表示させるかの指示を出す。例えば、広告映像を２分割して表示させるように指示を出す。
コンテンツ受信装置２００は、映像合成手段２１４によって、合成指示手段２１３ａから、広告情報Ａを識別する情報と広告情報Ｄを識別する情報の入力を受け付けた場合、
コンテンツ１０１ａに含まれる映像情報を本線映像とし、広告情報Ａと広告情報Ｄを広告映像とし、本線映像を背景とし、広告映像を前景として、本線映像の一部に広告情報Ａの広告映像を重ね合わせて合成すると共に、本線映像の一部に広告情報Ｄの広告映像を重ね合わせて合成する（ステップＳ４５）。そして、コンテンツ受信装置２００は、映像合成手段２１４によって、合成した映像を、外部の例えば表示手段４００（図１参照）に順番に出力する。このとき出力する順番は特に問わない。
【０１１１】
一方、コンテンツ受信装置２００は、合成指示手段２１３ａによって、ジャンルＩＤ比較手段２１３ｅから、「複数のジャンルＩＤ１２０ｉの中に、ジャンルＩＤ１０１ｉと一致するジャンルＩＤ１２０ｉがない」という判定結果の入力を受け付けた場合、デフォルトの広告情報１０４ａを識別する情報を映像合成手段２１４に出力する（ステップＳ４２）。なお、合成指示手段２１３ａは、広告映像の大きさを指定し、指定した大きさで本線映像と合成するように、映像合成手段２１４に指示を出す。ここで、合成指示手段２１３ａは、広告映像が本線映像を隠す範囲として、１５％以上７０％以下の範囲内でいずれかの数値を指定することで、広告映像の大きさを指定する。また、合成指示手段２１３ａは、広告映像の表示時間情報１２０ｆ及び表示位置情報１２０ｇをあわせて通知する。また、合成指示手段２１３ａは、映像合成手段２１４に、広告映像をどのような形で表示させるかの指示を出す。例えば、広告映像を２分割して表示させるように指示を出す。
【０１１２】
そして、コンテンツ受信装置２００は、映像合成手段２１４によって、合成指示手段２１３ａからデフォルトの広告情報１０４ａを識別する情報の入力を受け付けると、映像情報を本線映像とし、デフォルトの広告情報１０４ａを広告映像として、本線映像を背景とし、デフォルトの広告映像を前景として、本線映像の一部にデフォルトの広告映像を重ね合わせて合成する（ステップＳ４６）。そして、コンテンツ受信装置２００は、映像合成手段２１４によって、合成映像を、外部の、例えば表示手段４００（図１参照）に出力する。
【０１１３】
一方、コンテンツ受信装置２００は、ステップＳ３６での判定により、受信装置グループ指定情報比較手段２１２によって、コンテンツ受信装置ＩＤ１０６ａの部分データと受信装置グループ指定情報１２０ａとが一致しないと判定した場合（ステップＳ３６でＮｏ）、当該判定結果を合成指示手段２１３ａに出力する。コンテンツ受信装置２００は、合成指示手段２１３ａによって、映像合成手段２１４に、映像情報と広告情報１０４ａとを合成しないよう指示を出す（ステップＳ４３）。そして、コンテンツ受信装置２００は、映像合成手段２１４によって、映像情報を本線映像とする（ステップＳ４４）。
【０１１４】
次に、コンテンツ受信装置２００が、本線映像の一部が広告映像で隠された映像を視聴したユーザから、入力手段３００を介して当該広告映像の消去要求の入力を受け付けた場合の、コンテンツ受信装置２００の動作を説明する。図１１は、入力手段を介して、ユーザから広告映像の消去要求の入力を受け付けた場合の、コンテンツ受信装置の動作を示すフローチャートである。
【０１１５】
図１１及び図７に示すように、コンテンツ受信装置２００は、消去回数比較手段２１３ｄによって、入力手段３００を介して、ユーザからの広告映像の消去要求の入力を受け付けると、契約情報記憶手段２１０から契約情報１０５ａを取得し（ステップＳ６１）、当該契約情報１０５ａが消去可能情報１０５ｃを含むか否かを判定する。そして、コンテンツ受信装置２００は、消去回数比較手段２１３ｄによって、契約情報１０５ａが消去可能情報１０５ｃを含むと判定した場合（ステップＳ６２でＹｅｓ）、消去回数記憶手段２１３ｃから消去回数２１３ｃ１を取得すると共に、契約情報記憶手段２１０から消去可能回数１０５ｄを取得する（ステップＳ６５）。
【０１１６】
そして、コンテンツ受信装置２００は、消去回数比較手段２１３ｄによって、消去回数２１３ｃ１と消去可能回数１０５ｄを比較し（ステップＳ６６）、消去回数２１３ｃ１が消去可能回数１０５ｄを超えているか否かを判定する。コンテンツ受信装置２００は、消去回数比較手段２１３ｄによって、「消去回数２１３ｃ１が消去可能回数１０５ｄを超えている」と判定した場合（ステップＳ６７でＹｅｓ）、処理を終了する。コンテンツ受信装置２００は、消去回数比較手段２１３ｄによって、「消去回数２１３ｃ１が消去可能回数１０５ｄを超えていない」と判定した場合（ステップＳ６７でＮｏ）、当該判定結果を合成指示手段２１３ａに出力する。コンテンツ受信装置２００は、合成指示手段２１３ａによって、消去回数比較手段２１３ｄから、「消去回数２１３ｃ１が消去可能回数１０５ｄを超えていない」という判定結果の入力を受け付けた場合、映像合成手段２１４に、「コンテンツ１０１ａの映像情報と広告情報１０４ａとを合成しない」という指示を出力し、（ステップＳ６８）、そして、消去回数計測手段２１３ｂを介して消去回数２１３ｃ１を１インクリメントする（ステップＳ６９）。
そして、コンテンツ受信装置２００は、映像合成手段２１４によって、合成指示手段２１３ａから、「コンテンツ１０１ａの映像情報と広告情報１０４ａとを合成しない」という指示の入力を受け付けると、映像情報を本線映像とし（ステップＳ７０）、当該本線映像を、外部の例えば表示手段４００（図１参照）に出力する（ステップＳ７１）。
【０１１７】
一方、ステップＳ６２で、消去回数比較手段２１３ｄによって、契約情報１０５ａが消去可能情報１０５ｃを含まないと判定した場合（ステップＳ６２でＮｏ）、表示制御情報１２０に含まれる消去可否情報１２０ｄを取得する（ステップＳ６３）。
そして、コンテンツ受信装置２００は、消去回数比較手段２１３ｄによって、消去可否情報１２０ｄが、広告映像を消去可能であることを示す情報なのか消去不可であることを示す情報なのかを判定する。コンテンツ受信装置２００は、消去回数比較手段２１３ｄによって、消去可否情報１２０ｄが「広告映像を消去可能である」ことを示す情報であると判定した場合（ステップＳ６４でＹｅｓ）、消去回数記憶手段２１３ｃから消去回数２１３ｃ１を取得すると共に、表示制御情報１２０に含まれる消去可能回数１２０ｅを取得する（ステップＳ６５）。
【０１１８】
そして、コンテンツ受信装置２００は、消去回数比較手段２１３ｄによって、消去回数２１３ｃ１と消去可能回数１２０ｅを比較し（ステップＳ６６）、消去回数２１３ｃ１が消去可能回数１２０ｅを超えているか否かを判定する。コンテンツ受信装置２００は、消去回数比較手段２１３ｄによって、「消去回数２１３ｃ１が消去可能回数１２０ｅを超えている」と判定した場合（ステップＳ６７でＹｅｓ）、処理を終了する。コンテンツ受信装置２００は、消去回数比較手段２１３ｄによって、「消去回数２１３ｃ１が消去可能回数１２０ｅを超えていない」と判定した場合（ステップＳ６７でＮｏ）、当該判定結果を合成指示手段２１３ａに出力する。
【０１１９】
そして、コンテンツ受信装置２００は、合成指示手段２１３ａによって、消去回数比較手段２１３ｄから、「消去回数２１３ｃ１が消去可能回数１２０ｅを超えていない」という判定結果の入力を受け付けると、映像合成手段２１４に、「コンテンツ１０１ａの映像情報と広告情報１０４ａとを合成しない」という指示を出力し（ステップＳ６８）、そして、消去回数計測手段２１３ｂを介して消去回数２１３ｃ１を１インクリメントする（ステップＳ６９）。
そして、コンテンツ受信装置２００は、映像合成手段２１４によって、合成指示手段２１３ａから、「コンテンツ１０１ａの映像情報と広告情報１０４ａとを合成しない」という指示の入力を受け付けると、映像情報を本線映像とし（ステップＳ７０）、当該本線映像を、外部の例えば表示手段４００（図１参照）に出力する（ステップＳ７１）。
【０１２０】
一方、ステップＳ６４で、コンテンツ受信装置２００は、消去回数比較手段２１３ｄによって、消去可否情報１２０ｄが「広告映像を消去不可である」と判定した場合（ステップＳ６４でＮｏ）、処理を終了する。
以上が、コンテンツ受信装置２００の動作である。
【０１２１】
なお、以上では映像を表示する場合について説明したが、電子番組ガイドを表示する場合について、以下に説明する。ここで、図１２は、入力手段を介して、ユーザから電子番組ガイド情報の表示要求の入力を受け付けた場合のコンテンツ受信装置の動作を示すフローチャートである。
図１２に示すように、コンテンツ受信装置２００は、表示制御手段２１３によって、入力手段３００を介したユーザからの電子番組ガイドの表示要求の入力を受け付けると（ステップＳ８１）、映像合成手段２１４に、電子番組ガイド情報を映像として出力するよう指示を出す（ステップＳ８２）。
そして、コンテンツ受信装置２００は、映像合成手段２１４によって、表示制御手段２１３から当該指示を受け取ると、電子番組ガイド情報構成手段２０３から受信した電子番組ガイド情報を映像として出力する（ステップＳ８３）。これにより、ユーザに電子番組ガイドを提示することができる。
【０１２２】
次に、ユーザに電子番組ガイドが提示されている場合に、入力手段３００を介してユーザによる電子番組ガイドの中のある項目１０２ｃの選択の入力を受け付けた場合のコンテンツ受信装置２００の動作について説明する。図１３は、ユーザにより電子番組ガイドの中のある項目１０２ｃが選択された場合のコンテンツ受信装置の動作を示すフローチャートである。図１４は、本発明のコンテンツ送信装置及びコンテンツ受信装置を用いて電子番組ガイドを表示させる場合の映像例を示す図であり、（ａ）は、電子番組ガイドが表示された様子を示す図、（ｂ）は、ユーザにより電子番組ガイドに表示されたある項目が選択された様子を示す図、（ｃ）は、選択された項目に対応付けられたコンテンツと関連のある広告映像と電子番組ガイドとを合成した合成映像が表示された様子を示す図である。
図１４（ａ）に示すように、表示手段４００によりユーザに電子番組ガイドが表示されている場合に、図１４（ｂ）に示すように、ユーザにより入力手段３００を介して電子番組ガイドの中のある項目１０２ｃの選択が入力されると、図１３に示すように、コンテンツ受信装置２００は、イベントＩＤ比較手段２１３ｆによって、入力手段３００を介してユーザによる電子番組ガイドの中のある項目１０２ｃの選択の入力を受け付ける（ステップＳ９１）。コンテンツ受信装置２００は、イベントＩＤ比較手段２１３ｆによって、選択された項目１０２ｃのコンテンツ送信装置１００に付与された第１のイベントＩＤ１０２ｂと、表示制御情報１２０に含まれる複数の第２のイベントＩＤ１２０ｈを取得する（ステップＳ９２）。そして、コンテンツ受信装置２００は、イベントＩＤ比較手段２１３ｆによって、第１のイベントＩＤ１０２ｂと複数の第２のイベントＩＤ１２０ｈとをそれぞれ比較し（ステップＳ９３）、複数の第２のイベントＩＤ１２０ｈの中に、第１のイベントＩＤ１０２ｂと一致する第２のイベントＩＤ１２０ｈがあるか否かを判定する。
【０１２３】
そして、コンテンツ受信装置２００は、イベントＩＤ比較手段２１３ｆによって、複数の第２のイベントＩＤ１２０ｈの中に、第１のイベントＩＤ１０２ｂと一致する第２のイベントＩＤ１２０ｈがあると判定した場合（ステップＳ９４でＹｅｓ）、その第２のイベントＩＤ１２０ｈが付与された広告情報１０４ａを識別する情報を合成指示手段２１３ａに出力する（ステップＳ９５）。一方、コンテンツ受信装置２００は、イベントＩＤ比較手段２１３ｆによって、複数の第２のイベントＩＤ１２０ｈの中に、第１のイベントＩＤ１０２ｂと一致する第２のイベントＩＤ１２０ｈがないと判定した場合（ステップＳ９４でＮｏ）、処理を終了する。
【０１２４】
コンテンツ受信装置２００は、合成指示手段２１３ａによって、イベントＩＤ比較手段２１３ｆから、第１のイベントＩＤ１０２ｂと一致する第２のイベントＩＤ１０３ｈが付与された広告情報１０４ａを識別する情報の入力を受け付けた場合、当該広告情報１０４ａを広告映像とし、表示中の電子番組ガイドと並べて合成した合成映像を生成するよう指示を出す（ステップＳ９６）。コンテンツ受信装置２００は、映像合成手段２１４によって、合成映像を生成し（ステップＳ９７）、出力する（ステップＳ９８）。
このようにして、図１４（ｃ）に示すように、コンテンツ受信装置２００は、映像合成手段２１４によって、電子番組ガイドと、選択された項目１０２ｃに対応するコンテンツに関連のある広告映像とを並べて合成した合成映像を、例えば表示手段４００に出力することで、ユーザが、電子番組ガイドを見ながらにして、選択した項目１０２ｃに対応するコンテンツ１０１ａの内容を充分に把握することが可能となる。
【０１２５】
本実施形態に係るコンテンツ送信装置１００によれば、受信装置グループ指定情報１２０ａにより、複数のコンテンツ受信装置２００をグループ分けし、このグループに基づいて、受信側で、広告映像を表示させまたは表示させないことができる。さらに、受信装置グループ指定情報１２０ａを所定時間毎に更新することができるため、広告映像を表示させるコンテンツ受信装置２００のグループを、所定時間毎に変更することができる。
このため、送信側で、広告映像を表示した映像でコンテンツを視聴させる視聴者の数を管理することができ、放送事業者に、コンテンツの購入を求めるユーザからの問い合わせが殺到する事態を防止することができる。
【０１２６】
また、本実施形態に係るコンテンツ受信装置２００によれば、コンテンツの購入前に、ユーザに、本線映像でコンテンツを視聴させることができるため、ユーザにコンテンツを充分に把握させることができる。また、受信装置グループ指定情報により指定されたグループに属するコンテンツ受信装置のみ広告映像を表示させることで、放送事業者への、コンテンツの購入を求めるユーザからの問い合わせの集中を緩和することができる。このため、ユーザが快適にコンテンツを購入することが可能となる。また、コンテンツの内容を示す広告映像で本線映像の一部を隠すことで、広告映像と本線映像とにより、ユーザに、コンテンツの概要を充分に把握させることができる。さらには、ユーザに対し契約の推奨を強く訴え過ぎることがない。このため、ユーザのコンテンツの購入意欲を効果的に高めることができる。
【０１２７】
以上、本発明の実施形態について説明したが、本発明のコンテンツ送信装置及びコンテンツ受信装置はこれに限定されるものではなく、本発明の要旨を逸脱しない範囲の設計変更等も含まれる。例えば、本実施形態では、図１４に示すように、電子番組ガイドと広告映像を並べて表示したが、これに限られない。また、前記した実施形態では、受信端末を、デジタル放送のコンテンツ受信装置としたが、これに限られない。また、前記した実施形態では、隠蔽情報を広告情報１０４ａとしたが、これに限られず、契約を促す情報や放送局のサービス内容を示す情報などであっても良いことはもちろんである。
【図面の簡単な説明】
【０１２８】
【図１】本発明のコンテンツ送信装置及びコンテンツ受信装置を用いてユーザに提示される映像例を示す図である。
【図２】本発明の実施形態に係るコンテンツ送信装置の構成を示すブロック構成図である。
【図３】図２に示す表示制御情報生成手段で生成される表示制御情報のデータ構造の一例を示す構造図である。
【図４】図２に示す受信装置グループ指定情報が更新手段で更新される様子を説明するための概念図である。
【図５】図２に示す広告情報記憶手段に記憶された複数の広告情報の一例を示す説明図である。
【図６】本発明の実施形態に係るコンテンツ受信装置の構成を示すブロック構成図である。
【図７】本発明の実施形態に係るコンテンツ受信装置に含まれる表示制御手段の詳細な構成を示すブロック構成図である。
【図８】本発明の実施形態に係るコンテンツ送信装置の動作を示すフローチャートである。
【図９】本発明の実施形態に係るコンテンツ受信装置の動作（その１）を示すフローチャートである。
【図１０】本発明の実施形態に係るコンテンツ受信装置の動作（その２）を示すフローチャートである。
【図１１】入力手段を介して、ユーザから広告映像の消去要求の入力を受け付けた場合の、コンテンツ受信装置の動作を示すフローチャートである。
【図１２】入力手段を介して、ユーザから電子番組ガイド情報の表示要求の入力を受け付けた場合のコンテンツ受信装置の動作を示すフローチャートである。
【図１３】イベントＩＤを用いて電子番組ガイド情報に広告映像を合成する場合のコンテンツ受信装置の動作を示すフローチャートである。
【図１４】本発明のコンテンツ送信装置及びコンテンツ受信装置を用いて電子番組ガイドを表示させる場合の映像例を示す図であり、（ａ）は、電子番組ガイドが表示された様子を示す図、（ｂ）は、ユーザにより電子番組ガイドに表示されたある項目が選択された様子を示す図、（ｃ）は、選択された項目に対応付けられたコンテンツと関連のある広告映像と電子番組ガイドとを合成した合成映像が表示された様子を示す図である。
【図１５】従来のコンテンツ送信装置及びコンテンツ受信装置を用いてユーザに提示される映像例を示す図である。
【符号の説明】
【０１２９】
１００    コンテンツ送信装置
１０１    コンテンツ記憶手段
１０２    電子番組ガイド情報記憶手段
１０３    表示制御情報生成用データ記憶手段
１０４    広告情報記憶手段
１０４ａ  広告情報
１０５    契約情報記憶手段
１０５ａ  契約情報
１０６    コンテンツ受信装置ＩＤ記憶手段
１０６ａ  コンテンツ受信装置ＩＤ
１０７    表示制御情報生成手段
１０７ａ  更新手段
１０８    第１のセクション化手段
１０９    第２のセクション化手段
１１０    第３のセクション化手段
１１１    多重化手段
１１２    送信手段
２００    コンテンツ受信装置
２０１    受信手段
２０２    分離手段
２０３    電子番組ガイド情報構成手段
２０４    広告情報抽出手段
２０５    広告情報記憶手段
２０６    表示制御情報抽出手段
２０７    コンテンツ受信装置ＩＤ比較手段
２０８    契約情報抽出手段
２０９    コンテンツ受信装置ＩＤ記憶手段
２０９ａ  固有のコンテンツ受信装置ＩＤ
２１０    契約情報記憶手段
２１１    メッセージＩＤ比較手段
２１２    受信装置グループ指定情報比較手段
２１３    表示制御手段
２１３ａ  合成指示手段
２１３ｂ  消去回数計測手段
２１３ｃ  消去回数記憶手段
２１３ｄ  消去回数比較手段
２１３ｅ  ジャンルＩＤ比較手段
２１３ｆ  イベントＩＤ比較手段
２１４    映像合成手段
【図１】
2010098681.tif 000003
【図２】
2010098681.tif 000004
【図３】
2010098681.tif 000005
【図４】
2010098681.tif 000006
【図５】
2010098681.tif 000007
【図６】
2010098681.tif 000008
【図７】
2010098681.tif 000009
【図８】
2010098681.tif 000010
【図９】
2010098681.tif 000011
【図１０】
2010098681.tif 000012
【図１１】
2010098681.tif 000013
【図１２】
2010098681.tif 000014
【図１３】
2010098681.tif 000015
【図１４】
2010098681.tif 000016
【図１５】
2010098681.tif 000017